(57)【要約】      （修正有）【課題】追記型情報記録媒体の最新の管理情報が記録された領域が万が一汚れや傷に侵されて読み出せなかった場合においても、その情報記録媒体が記録再生不能状態に陥ってしまうことを防止する。【解決手段】複数の情報記録媒体を関連付けて使用されるディスクアレイ（ＲＡＩＤ）のようなシステムにおいて、ある情報記録媒体における管理情報を、その情報記録媒体中のＴＤＭＡに加えて、別の情報記録媒体中のＴＤＭＡにも記録しておくことで、冗長性を高める。【選択図】図１０
2013054792.tif 000002
【特許請求の範囲】
【請求項１】
エラー訂正の単位であるブロック単位に記録再生を行う追記型情報記録媒体であって、
前記追記型情報記録媒体は、複数が関連付けて使用され、
前記追記型情報記録媒体は、
ユーザデータを記録するデータ領域と、
前記情報記録媒体に関する管理情報を過渡的に記録するための一時管理情報領域を備え、
前記追記型情報記録媒体における前記一時管理情報領域には、
当該追記型情報記録媒体における前記管理情報である第１管理情報と、関連付けて使用される少なくとも１つの他の前記追記型情報記録媒体における前記管理情報である第２管理情報とが組み合わされ、かつ前記第１管理情報が前記一時管理情報領域における記録済み領域の終端位置に配置されるように記録されること
を特徴とする追記型情報記録媒体。
【請求項２】
前記管理情報は、データ領域への記録状態を管理するための記録管理情報と、
前記追記型情報記録媒体におけるレイアウト情報や前記記録管理情報に関する位置情報を備えるディスク定義構造を含み、
前記ディスク定義構造は、前記第１管理情報か前記第２管理情報かを識別可能な情報を含む形で記録される、請求項１に記載の追記型情報記録媒体。
【請求項３】
エラー訂正の単位であるブロック単位に記録再生を行う追記型情報記録媒体への情報記録方法であって、
前記追記型情報記録媒体は、複数が関連付けて使用され、
前記追記型情報記録媒体は、
ユーザデータを記録するデータ領域と、
前記情報記録媒体に関する管理情報を過渡的に記録するための一時管理情報領域を備え、
前記情報記録方法は、
前記追記型情報記録媒体における前記一時管理情報領域に、当該追記型情報記録媒体における前記管理情報である第１管理情報と、関連付けて使用される少なくとも１つの他の前記追記型情報記録媒体における前記管理情報である第２管理情報とを組み合わせて、前記第１管理情報が前記一時管理情報領域における記録済み領域の終端位置に配置するように記録すること
を特徴とする情報記録方法。
【請求項４】
前記管理情報は、データ領域への記録状態を管理するための記録管理情報と、
前記追記型情報記録媒体におけるレイアウト情報や前記記録管理情報に関する位置情報を備えるディスク定義構造を含み、
前記ディスク定義構造に、前記第１管理情報か前記第２管理情報かを識別可能な情報を含む形で記録する、請求項３に記載の情報記録方法。
【請求項５】
エラー訂正の単位であるブロック単位に記録再生を行う追記型情報記録媒体から情報を読み出す情報再生方法であって、
前記追記型情報記録媒体は、複数が関連付けて使用され、
前記追記型情報記録媒体は、
ユーザデータを記録するデータ領域と、
前記情報記録媒体に関する管理情報を過渡的に記録するための一時管理情報領域を備え、
前記追記型情報記録媒体における前記一時管理情報領域には、
当該追記型情報記録媒体における前記管理情報である第１管理情報に加え、関連付けて使用される少なくとも１つの他の前記追記型情報記録媒体における前記管理情報である第２管理情報が組み合わされ、かつ前記第１管理情報が前記一時管理情報領域における記録済み領域の終端位置に配置されるように記録されており、
前記情報再生方法は、最新の前記管理情報の取得を行う場合に、
（ａ）ある前記追記型情報記録媒体における前記一時管理情報領域から最新の前記第１管理情報を取得するステップ
（ｂ）少なくとも、前記ステップ（ａ）で前記第１管理情報の取得に失敗した場合に、当該追記型情報記録媒体の前記管理情報が前記第２管理情報として記録されている他の前記追記型記録媒体の前記一時管理情報領域から、最新の前記第２管理情報を取得するステップ
を備えることを特徴とする情報再生方法。
【請求項６】
前記管理情報は、データ領域への記録状態を管理するための記録管理情報と、
前記追記型情報記録媒体におけるレイアウト情報や前記記録管理情報に関する位置情報を備えるディスク定義構造を含み、
少なくとも前記ステップ（ｂ）は、
前記ディスク定義構造に記録された、前記第１管理情報か前記第２管理情報かを識別可能な情報をもとに、前記第２管理情報を取得する、
請求項５に記載の情報再生方法。
【請求項７】
エラー訂正の単位であるブロック単位に記録再生を行う追記型情報記録媒体への情報記録装置であって、
前記追記型情報記録媒体は、複数が関連付けて使用され、
前記追記型情報記録媒体は、
ユーザデータを記録するデータ領域と、
前記情報記録媒体に関する管理情報を過渡的に記録するための一時管理情報領域を備え、
前記情報記録装置は、
前記追記型情報記録媒体における前記一時管理情報領域に、当該追記型情報記録媒体における前記管理情報である第１管理情報と、関連付けて使用される少なくとも１つの他の前記追記型情報記録媒体における前記管理情報である第２管理情報とを組み合わせて、前記第１管理情報が前記一時管理情報領域における記録済み領域の終端位置に配置するように記録する管理情報記録制御部を備える
ことを特徴とする情報記録装置。
【請求項８】
前記管理情報は、データ領域への記録状態を管理するための記録管理情報と、
前記追記型情報記録媒体におけるレイアウト情報や前記記録管理情報に関する位置情報を備えるディスク定義構造を含み、
前記管理情報記録制御部は、前記ディスク定義構造に、前記第１管理情報か前記第２管理情報かを識別可能な情報を含む形で記録する、請求項７に記載の情報記録装置。
【請求項９】
エラー訂正の単位であるブロック単位に記録再生を行う追記型情報記録媒体から情報を読み出す情報再生装置であって、
前記追記型情報記録媒体は、複数が関連付けて使用され、
前記追記型情報記録媒体は、
ユーザデータを記録するデータ領域と、
前記情報記録媒体に関する管理情報を過渡的に記録するための一時管理情報領域を備え、
前記追記型情報記録媒体における前記一時管理情報領域には、
当該追記型情報記録媒体における前記管理情報である第１管理情報に加え、関連付けて使用される少なくとも１つの他の前記追記型情報記録媒体における前記管理情報である第２管理情報が組み合わされ、かつ前記第１管理情報が前記一時管理情報領域における記録済み領域の終端位置に配置されるように記録されており、
前記情報再生装置は、最新の管理情報の取得を行う管理情報取得制御部を備え、
前記管理情報取得制御部は、
ある前記追記型情報記録媒体における前記一時管理情報領域から最新の前記第１管理情報を取得するとともに、少なくとも前記第１管理情報の取得に失敗した場合に、当該追記型情報記録媒体の前記管理情報が前記第２管理情報として記録されている他の前記追記型記録媒体の前記一時管理情報領域から、最新の前記第２管理情報を取得すること
を特徴とする情報再生装置。
【請求項１０】
前記管理情報は、データ領域への記録状態を管理するための記録管理情報と、
前記追記型情報記録媒体におけるレイアウト情報や前記記録管理情報に関する位置情報を備えるディスク定義構造を含み、
前記管理情報取得制御部は、
前記ディスク定義構造に記録された、前記第１管理情報か前記第２管理情報かを識別可能な情報をもとに、少なくとも前記第２管理情報を取得する、
請求項９に記載の情報再生装置。
【請求項１１】
エラー訂正の単位であるブロック単位に記録再生を行う追記型情報記録媒体であって、
前記追記型情報記録媒体は、
ユーザデータを記録するデータ領域と、
前記情報記録媒体に関する管理情報を過渡的に記録するための一時管理情報領域を備え、
前記管理情報は、データ領域への記録状態を管理する情報を含む記録管理情報と、
前記追記型情報記録媒体におけるレイアウト情報や前記記録管理情報に関する位置情報を備えるディスク定義構造を含み、
前記一時管理領域には、前記データ領域への記録状態を管理する情報が同一内容の前記記録管理情報を含む前記管理情報が連続して複数回追記され、
前記複数回記録される前記管理情報のそれぞれに含まれる前記ディスク定義構造に含まれる前記位置情報は、それぞれの前記管理情報における前記記録管理情報が記録された前記ブロックを示すこと
を特徴とする追記型情報記録媒体。
【請求項１２】
エラー訂正の単位であるブロック単位に記録再生を行う追記型情報記録媒体へ情報の記録を行う情報記録方法であって、
前記追記型情報記録媒体は、
ユーザデータを記録するデータ領域と、
前記情報記録媒体に関する管理情報を過渡的に記録するための一時管理情報領域を備え、
前記管理情報は、データ領域への記録状態を管理する情報を含む記録管理情報と、
前記追記型情報記録媒体におけるレイアウト情報や前記記録管理情報に関する位置情報を備えるディスク定義構造を含み、
前記情報記録方法は、
前記一時管理領域に、前記データ領域への記録状態を管理する情報が同一内容の前記記録管理情報を含む前記管理情報を連続して複数回追記し、
前記複数回記録される前記管理情報のそれぞれに含まれる前記ディスク定義構造に含まれる前記位置情報は、それぞれの前記管理情報における前記記録管理情報が記録された前記ブロックを示すこと
を特徴とする情報記録方法。
【請求項１３】
エラー訂正の単位であるブロック単位に記録再生を行う追記型情報記録媒体から情報の読み出しを行う情報再生方法であって、
前記追記型情報記録媒体は、
ユーザデータを記録するデータ領域と、
前記情報記録媒体に関する管理情報を過渡的に記録するための一時管理情報領域を備え、
前記管理情報は、データ領域への記録状態を管理する情報を含む記録管理情報と、
前記追記型情報記録媒体におけるレイアウト情報や前記記録管理情報に関する位置情報を備えるディスク定義構造を含み、
前記一時管理領域には、前記データ領域への記録状態を管理する情報が同一内容の前記記録管理情報を含む前記管理情報が連続して複数回追記されており、
前記情報再生方法は、最新の前記管理情報の取得を行う場合に、
（ａ）前記一時管理情報領域の記録済み終端位置に配置された前記管理情報を取得するステップ
（ｂ）少なくとも、前記ステップ（ａ）で前記管理情報の取得に失敗した場合に、前記複数回記録された前記管理情報のうち、記録済み終端位置に配置された前記管理情報とは異なる他の前記管理情報を取得するステップ
を備えることを特徴とする情報再生方法。
【請求項１４】
エラー訂正の単位であるブロック単位に記録再生を行う追記型情報記録媒体へ情報の記録を行う情報記録装置であって、
前記追記型情報記録媒体は、
ユーザデータを記録するデータ領域と、
前記情報記録媒体に関する管理情報を過渡的に記録するための一時管理情報領域を備え、
前記管理情報は、データ領域への記録状態を管理する情報を含む記録管理情報と、
前記追記型情報記録媒体におけるレイアウト情報や前記記録管理情報に関する位置情報を備えるディスク定義構造を含み、
前記情報記録装置は、管理情報の記録を行う管理情報記録部を備え、
前記管理情報記録部は、
前記一時管理領域に、前記データ領域への記録状態を管理する情報が同一内容の前記記録管理情報を含む前記管理情報を連続して複数回追記し、
前記複数回追記される前記管理情報のそれぞれに含まれる前記ディスク定義構造に含まれる前記位置情報は、それぞれの前記管理情報における前記記録管理情報が記録された前記ブロックを示すこと
を特徴とする情報記録装置。
【請求項１５】
エラー訂正の単位であるブロック単位に記録再生を行う追記型情報記録媒体から情報の読み出しを行う情報再生装置であって、
前記追記型情報記録媒体は、
ユーザデータを記録するデータ領域と、
前記情報記録媒体に関する管理情報を過渡的に記録するための一時管理情報領域を備え、
前記管理情報は、データ領域への記録状態を管理する情報を含む記録管理情報と、
前記追記型情報記録媒体におけるレイアウト情報や前記記録管理情報に関する位置情報を備えるディスク定義構造を含み、
前記一時管理領域には、前記データ領域への記録状態を管理する情報が同一内容の前記記録管理情報を含む前記管理情報が連続して複数回追記されており、
前記情報再生装置は、前記管理情報の取得を行う管理情報再生部を備え、
前記管理情報再生部は、
前記一時管理情報領域の記録済み終端位置に配置された前記管理情報を取得するとともに、少なくとも、前記記録済み終端位置に配置された前記管理情報の取得に失敗した場合に、前記複数回記録された前記管理情報のうち、記録済み終端位置に配置された前記管理情報とは異なる他の前記管理情報を取得すること
を特徴とする情報再生装置。
【発明の詳細な説明】
【技術分野】
【０００１】
本発明は、情報記録媒体へ管理情報を記録する、或いは情報記録媒体から管理情報を再生する記録再生装置に関するものであり、その中でも特に、情報記録媒体として追記型光ディスクを使用する光ディスクドライブ装置、もしくは光ディスクドライブ装置を複数組み合わせて使用するディスクアレイのようなシステム装置に関するものである。
【背景技術】
【０００２】
近年、大容量で交換可能な情報記録媒体、およびそれを扱うディスクドライブ装置が普及してきている。大容量で交換可能な情報記録媒体としては、ＤＶＤやＢＤ（Ｂｌｕ−ｒａｙ  Ｄｉｓｃ）のような光ディスクが良く知られている。光ディスクドライブ装置は、レーザ光を用いて光ディスク上に微小なピットを形成することによって記録再生を行うので、大容量で交換可能な情報記録に適している。しかしながら光ディスクは交換可能な情報記録媒体であるため、埃や傷などによってその記録面に欠陥が存在する。そのため光ディスクドライブ装置では、記録再生データの信頼性保証のために欠陥管理を行う方法が考えられている。つまり、欠陥ブロックの代替用の領域（スペア領域）を備え、欠陥ブロックを検出した場合には、その欠陥ブロックの代わりに代替用のスペア領域中のブロックを割り当て、そこに交替記録するというものである。
【０００３】
光ディスクのような情報記録媒体に対して、繰り返し記録再生を正しく実現するためには、欠陥ブロックの状態も含めて、その情報記録媒体が現在どういう状態にあるのかを管理するための管理情報を備えるのが一般的な方法である。
【０００４】
光ディスクの記録再生に欠かせない管理情報の記録方法としては、管理情報を記録する領域を複数備えて冗長的に記録する方法が考えられている（例えば特許文献１）。
【０００５】
図１８は、一般的な光ディスクの領域構成図である。円盤状の光ディスク１には、スパイラル状に多数のトラック２が形成されており、各トラック２には細かく分けられた多数のブロック３が形成されている。ブロック３は、エラー訂正の単位であり、記録および再生動作が行われる最小の単位であり、クラスタ（Ｃｌｕｓｔｅｒ）或いはＥＣＣブロックと呼ばれることもある。例えばＢＤの場合、ブロック３のサイズは３２セクタ（１セクタは２ＫＢｙｔｅ。つまり１ブロックは６４ＫＢｙｔｅ）である。また、光ディスク１のある記録層における領域は、リードイン領域４とデータ領域５とリードアウト領域６に大別される。ユーザデータの記録再生はデータ領域５に対して行われる。リードイン領域４とリードアウト領域６は、光ヘッド（図示せず）がデータ領域５の端へアクセスする場合に、光ヘッドがオーバーランしてもトラック２に追随できるように、のりしろとしての役割を果たす。なお、記録層を複数備える光ディスク１の場合、リードイン領域４に相当する内周側の領域のことをインナーゾーン、リードアウト領域に相当する外周側の領域のことをアウターゾーンと呼んだりもする。
【０００６】
図１９は、記録層を１層のみ備えた従来の書換え型光ディスクにおける領域構造の詳細を示す図である。
【０００７】
データ領域５は、ユーザデータの記録再生を行うユーザデータ領域１４と、ＩＳＡ１５、ＯＳＡ１６とで構成される。ここでＩＳＡ１５及びＯＳＡ１６は、ユーザデータ領域１４の中の欠陥ブロックの代わりに用いるブロック（以下交替ブロックまたは交替先ブロックとも呼ぶ）として予め用意されたスペア領域である。光ディスク１の内周側に備えられるＩＳＡ（Ｉｎｎｅｒ  Ｓｐａｒｅ  Ａｒｅａ）１５、外周側に備えられるＯＳＡ（Ｏｕｔｅｒ  Ｓｐａｒｅ  Ａｒｅａ）１６と呼ぶ。
【０００８】
リードイン領域４とリードアウト領域６には、光ディスク１における欠陥ブロックの情報などの管理情報を書き込むための領域である管理情報領域（ＤＭＡ：Ｄｉｓｃ  Ｍａｎａｇｅｍｅｎｔ  Ａｒｅａ、または  Ｄｅｆｅｃｔ  Ｍａｎａｇｅｍｅｎｔ  Ａｒｅａ）として、リードイン領域４にはＤＭＡ１とＤＭＡ２を、リードアウト領域６にはＤＭＡ３とＤＭＡ４とを備えている。ＤＭＡ１〜ＤＭＡ４はそれぞれ所定の位置に配置される領域である。ＤＭＡに記録される情報としては、欠陥管理情報であるＤＦＬ（Ｄｅｆｅｃｔ  Ｌｉｓｔ）２１のような記録管理情報や、データ領域５の領域構造やＤＦＬ２１が記録されている位置情報などを備えるディスク定義構造であるＤＤＳ（Ｄｉｓｃ  Ｄｅｆｉｎｉｔｉｏｎ  Ｓｔｒｕｃｔｕｒｅ）２０などがあり、これらをまとめて管理情報（ＤＭＳ：Ｄｉｓｃ  Ｍａｎａｇｅｍｅｎｔ  Ｓｔｒｕｃｔｕｒｅ、または  Ｄｅｆｅｃｔ  Ｍａｎａｇｅｍｅｎｔ  Ｓｔｒｕｃｔｕｒｅ）と呼ばれることもある。ＤＭＡに記録される管理情報（ＤＭＳ）のサイズは、例えば欠陥ブロックの個数によって可変となるＤＦＬ２１を備えるため可変である。光ディスク１へ実際に記録再生する場合にはブロック３の単位で行われるため、意味を持たないパディングデータなどと組み合わせてブロック３のサイズの整数倍のサイズとした形で記録再生される。
【０００９】
ＤＭＡ１〜ＤＭＡ４は全て同じ情報が多重記録される。これは、ＤＭＡ１〜ＤＭＡ４自身が欠陥に冒されている場合の備えであり、例え正しく再生されないＤＭＡがあってもどれか１つでも正しく再生できるＤＭＡがあれば管理情報を取得することができる。このようにして、光ディスクの記録再生に欠かせない管理情報に冗長性を持たせ、管理情報を保護している。
【００１０】
なお、記録層を複数備えるような光ディスク１においても、各記録層の領域構造は基本的に上述した図１９に示すものと同じ構成となる。
【００１１】
さらに、管理情報を保護する別のやり方として、記録中に電源が遮断されても管理情報が破壊されないように、更新する管理情報を不揮発性メモリに備えておくといった方法も考えられている（例えば特許文献２参照）。
【００１２】
一方、１回しか記録できない追記型光ディスクにおいても、上述の書換え型光ディスクと同様に、管理情報を更新記録していく方法が考えられている（例えば、特許文献３や特許文献４参照）。
【００１３】
図２０は、記録層を１層のみ備えた従来の追記型光ディスクにおける領域構造の詳細を示す図である。追記型光ディスクの領域構造は、図１９を用いて上述した書換え型光ディスクの場合と、ＴＤＭＡ１７を備える点を除いて同じである。
【００１４】
追記型光ディスクの場合には１回しか記録が出来ないため、書換え型光ディスクのように所定位置のＤＭＡに管理情報を上書きで更新記録するといった使い方が出来ない。そのため追記型光ディスクの場合にはＴＤＭＡ１７を備える。なお図２０では、ＴＤＭＡ１７は１箇所のみ備えた場合を例に記載したが、例えばさらにＩＳＡ１５やＯＳＡ１６の一部に、離散的にＴＤＭＡ１７を備えても良い。
【００１５】
図２１はＴＤＭＡ１７に管理情報が追記記録される様子を説明するための図である。図２１に示すように、追記型の光ディスク１は、過渡的な管理情報であるＴＤＭＳ（Ｔｅｍｐｏｒａｒｙ  Ｄｉｓｃ  Ｍａｎａｇｅｍｅｎｔ  Ｓｔｒｕｃｔｕｒｅ、またはＴｅｍｐｏｒａｒｙ  Ｄｅｆｅｃｔ  Ｍａｎａｇｅｍｅｎｔ  Ｓｔｒｕｃｔｕｒｅ）を記録するための一時管理情報領域であるＴＤＭＡ（Ｔｅｍｐｒａｒｙ  Ｄｉｓｃ  Ｍａｎａｇｅｍｅｎｔ  Ａｒｅａ、またはＴｅｍｐｏｒａｒｙ  Ｄｅｆｅｃｔ  Ｍａｎａｇｅｍｅｎｔ  Ａｒｅａ）１７を備える。管理情報の更新記録が必要になると、ＴＤＭＡ１７に管理情報（ＴＤＭＳ）を１つずつ追記記録される。ＴＤＭＳは、書換え型光ディスクと同様に、欠陥管理情報であるＴＤＦＬ（Ｔｅｍｐｏｒａｒｙ  ＤＦＬ）３１に加え、さらに追記的に使用されるユーザデータ領域１４の記録状態を管理するためのＳＲＲＩ（Ｓｅａｑｕｅｎｔｉａｌ  Ｒｅｃｏｒｄｉｎｇ  Ｒａｎｇｅ  Ｉｎｆｏｒｍａｔｉｏｎ）３２を記録管理情報として含み、さらにディスク定義構造であるＴＤＤＳ（Ｔｅｍｐｏｒａｒｙ  ＤＤＳ）３０とから構成される。ここでＴＤＭＳとは、過渡的（一時的）にＴＤＭＡ１７に記録されるＴｅｍｐｏｒａｒｙのＤＭＳという意味であり、同様にＴＤＦＬ３１、ＴＤＤＳ３０も、ＴＤＭＡに一時的に記録されるＴｅｍｐｏｒａｒｙのＤＦＬ２１、ＤＤＳ２０という意味である。ＴＤＭＳのサイズもＤＭＳ同様可変であるが、光ディスク１はブロック３の単位で記録再生が行われるものであるため、実際に光ディスク１に記録される場合には、意味を持たないパディングデータ等を含むなどしてブロック３の単位で記録される。よって、例えば図２１中のＴＤＭＳ＃１及びＴＤＭＳ＃２のサイズはいずれもブロック３の整数倍の単位となる。
【００１６】
図２２は、従来の追記型の光ディスク１におけるＴＤＤＳ３０、ＴＤＦＬ３１およびＳＲＲＩ３２のデータ構造の例を示す説明図である。
【００１７】
ＳＲＲＩ３２は、ＳＲＲＩヘッダ６０、ｍ個のＳＲＲエントリ６１（ｍは１以上の正数）、ＳＲＲＩターミネータ６２を備える。ＳＲＲＩヘッダ６０は、ＳＲＲＩの先頭に配置される情報であり、当該情報がＳＲＲＩであることを示すＳＲＲＩ識別子６３やＳＲＲＩが更新記録された回数である第１ＳＲＲＩ更新回数６４、後述するＳＲＲエントリ６１の個数を示すＳＲＲエントリ数６９などを含む。ＳＲＲエントリ６１は、連続記録を行う領域範囲を示す情報であり、ＳＲＲの開始位置に関するアドレス情報であるＳＲＲ先頭位置６５、ＳＲＲ内の記録済み位置の最終位置に関するアドレス情報であるＳＲＲ最終記録位置６６などを含む。ＳＲＲＩターミネータ６２は、ＳＲＲＩの終端に配置される情報であり、ターミネータであることを示す識別子であるＳＲＲＩターミネータ６７と、ＳＲＲＩヘッダ６０に含まれる第１ＳＲＲＩ更新回数６４と同じ値である第２ＳＲＲＩ更新回数６８などを含む。ＳＲＲＩヘッダ６０、ＳＲＲエントリ６１ならびにＳＲＲＩターミネータ６２のサイズはいずれも固定サイズである。つまりＳＲＲＩ３２のサイズはＳＲＲエントリ６１の個数に応じて可変サイズであり、例えば最大で３１セクタである。
【００１８】
ＴＤＦＬ３１は、ＤＦＬヘッダ５０、ｎ個のＤＦＬエントリ５１（ｎは０以上の正数）、ＤＦＬターミネータ５２を備え、ＤＦＬ２１と同じ構成である。ＤＦＬヘッダ５０は、ＤＦＬの先頭に配置される情報であり、当該情報がＤＦＬであることを示すＤＦＬ識別子５３やＤＦＬが更新記録された回数である第１ＤＦＬ更新回数５４、後述するＤＦＬエントリ５１の個数を示すＤＦＬエントリ数５９などを含む。ＤＦＬエントリ５１は、欠陥ブロックや交替記録に関する情報であり、欠陥ブロックなど交替元ブロックに関するアドレス情報である交替元位置５５と、交替先ブロックに関するアドレス情報である交替先位置５６などを含む。ＤＦＬターミネータ５２は、ＤＦＬの終端に配置される情報であり、ターミネータであることを示す識別子であるＤＦＬターミネータ５７と、ＤＦＬヘッダ５０に含まれる第１ＤＦＬ更新回数と同じ値である第２ＤＦＬ更新回数５８などを含む。ＤＦＬヘッダ５０、ＤＦＬエントリ５１ならびにＤＦＬターミネータ５２のサイズはいずれも固定サイズである。つまりＴＤＦＬ３１のサイズはＤＦＬエントリ５１の個数に応じて可変サイズであり、例えば最大で７ブロックと３１セクタである。
【００１９】
ＴＤＤＳ３０はＤＤＳ２０と同じ構成であり、ＤＤＳの先頭に配置され、当該情報がＤＤＳであることを示すＤＤＳ識別子４８やＤＤＳが更新記録された回数であるＤＤＳ更新回数４９などを含むＤＤＳヘッダ４０と、論理空間であるユーザデータ領域１４の先頭位置に関するアドレス情報である論理セクタ番号０位置４１や、ユーザデータ領域１４の最終セクタアドレス、つまりユーザデータ領域１４のサイズとも言える最終論理セクタ番号４２や、ＩＳＡ１５、ＯＳＡ１６のサイズであるＩＳＡサイズ４３、ＯＳＡサイズ４４、最新のＳＲＲＩ３２、ＴＤＦＬ３１が記録された位置（例えば先頭位置）に関するアドレス情報であるＳＲＲＩ先頭位置４５、ＴＤＦＬ先頭位置４６や、管理情報を記録する記録装置に関する情報である記録装置関連情報４７などを備える。
【００２０】
なお厳密に言えば、例えば、ＴＤＦＬ３１は欠陥ブロックの数に応じて変化するＤＦＬエントリ５１の数によって、複数ブロックサイズとなることがあるため、ＴＤＦＬ３１が取りうる最大ブロック数分（例えば８個分）だけ、ＤＤＳ３０に含まれるＴＤＦＬ先頭位置４６を備える。しかし本明細書においては、説明簡略化のため、ＴＤＦＬ先頭位置４６は１つのみとして説明を行う。ＴＤＤＳ３０のサイズは、固定サイズであり、例えば１セクタである。
【００２１】
ここで、ＴＤＭＡ１７のサイズは当然有限である。言い換えると、ＴＤＭＡ１７に記録可能なＴＤＭＳの個数（つまり更新記録回数）も有限であり、出来るだけ有効にＴＤＭＡ１７を使用することが望まれる。そのため、図２１に示すように、記録するＴＤＭＳは最低限記録が必要な管理情報要素だけに絞って記録しても良い。つまり、図２１に示す（ａ）の状態から、さらにユーザデータ領域１４にデータ記録を行って記録状態は変化したが、欠陥は検出されなかった（＝欠陥管理情報は更新されなかった）場合には、ＴＤＦＬ３１は変化していないため、新たに記録するＴＤＭＳ＃２としては、ＳＲＲＩ３２とＴＤＤＳ３０のみ記録しても良い。この場合、今回記録しなかったＴＤＦＬ３１の最新情報は前回記録した情報となるため、各種類の最新の管理情報が記録された位置に関する情報を備えるＴＤＤＳ３０は、最新のＳＲＲＩ位置としては今回記録したＳＲＲＩ＃２の位置を指す一方、最新のＴＤＦＬ位置としては前回記録されたＴＤＦＬ＃１の位置を指すように記録される。なお、どのような場合でも、ＴＤＭＡ１７の記録済み終端ブロックには、各管理情報の記録位置に関する情報を含むＴＤＤＳ３０が配置されるように、ＴＤＭＳの最終ブロックの所定位置（例えば最終セクタ）には必ずＴＤＤＳ３０を含んだ形で記録される。このようにすることで、最新の管理情報が記録されている位置を即座に把握することが可能になる。
【００２２】
ＴＤＭＳはＴＤＭＡ１７に１つずつ追記されていくため、その光ディスクにおける最新の管理情報（ＴＤＭＳ）を構成する情報も光ディスク上に１箇所のみ存在する。つまりそれらは、ＴＤＭＡ１７における記録済領域の終端位置に配置されるＴＤＭＳに含まれるＴＤＤＳ３０と、ＴＤＤＳ３０が示す位置に配置されたＴＤＦＬ３１、ＳＲＲＩ３２ということになる。そして、追記型光ディスクに対して、これ以上記録しない状態（つまり再生専用状態）にするファイナライズ処理（クローズ処理とも呼ぶ）の際に、その時点での最新の管理情報が、書換え型光ディスク同様に内周側と外周側に配置されたＤＭＡ領域であるＤＭＡ１０、ＤＭＡ１１、ＤＭＡ１２、およびＤＭＡ１３にＤＭＳとして多重記録される。
【先行技術文献】
【特許文献】
【００２３】
【特許文献１】特開２００３−３４６４２９号公報
【特許文献２】特開平１１−２０３８２８号公報
【特許文献３】特開２００５−５６５４２号公報
【特許文献４】特開２００８−２８２４３５号公報
【発明の概要】
【発明が解決しようとする課題】
【００２４】
しかしながら、前記従来の追記型光ディスクにおける管理情報の記録方法では、ファイナライズ時に管理情報がＤＭＡに多重記録されるため冗長性は増すが、ファイナライズされる前の記録過渡期の状態では、管理情報はＴＤＭＡ１７の１箇所にしか記録されていないため、冗長性が無い。特に、最新のＴＤＭＳにおけるＴＤＤＳ３０が取得できなかった場合には、最新のＴＤＭＳを構成するＳＲＲＩ３２、ＴＤＦＬ３１が記録された位置も分からない状態に陥ってしまう。万が一、最新の管理情報（ＴＤＭＳ）が正しく取得できず、失われてしまった場合には、以降、このディスクに対して正しく記録再生することが出来ない状態になってしまう。つまり従来の方法では、最新の管理情報が記録された位置が、以降使用を繰り返す中で、指紋などの汚れや傷などの後発的な欠陥に侵される等の理由により、正しく管理情報が読み出せなくなってしまうリスクが高いという課題を有していた。或いは、仮に光ディスク１を全領域検査することで修復可能な管理情報が存在するとした場合でも、最新の管理情報が正しく読み出せないことで、その修復のために多大な時間を要してしまうため、ユーザの利便性が悪くなる恐れがあった。
【００２５】
そこで本発明は、前記従来の課題を解決するものであり、追記型光ディスクのような追記型の情報記録媒体においても、冗長性を持たせて管理情報を記録可能にすることで、より信頼性の高い情報記録媒体、並びに情報記録再生方法を提供することを目的としたものである。
【課題を解決するための手段】
【００２６】
本発明の情報記録媒体は、エラー訂正の単位であるブロック単位に記録再生を行う追記型情報記録媒体であって、前記追記型情報記録媒体は、複数が関連付けて使用され、前記追記型情報記録媒体は、ユーザデータを記録するデータ領域と、前記情報記録媒体に関する管理情報を過渡的に記録するための一時管理情報領域を備え、前記追記型情報記録媒体における前記一時管理情報領域には、当該追記型情報記録媒体における前記管理情報である第１管理情報と、関連付けて使用される少なくとも１つの他の前記追記型情報記録媒体における前記管理情報である第２管理情報とが組み合わされ、かつ前記第１管理情報が前記一時管理情報領域における記録済み領域の終端位置に配置されるように記録し、これにより、上記目的を達成する。
【００２７】
前記管理情報は、データ領域への記録状態を管理するための記録管理情報と、前記追記型情報記録媒体におけるレイアウト情報や前記記録管理情報に関する位置情報を備えるディスク定義構造を含み、前記ディスク定義構造は、前記第１管理情報か前記第２管理情報かを識別可能な情報を含む形で記録しても良い。
【００２８】
本発明の情報記録方法は、エラー訂正の単位であるブロック単位に記録再生を行う追記型情報記録媒体への情報記録方法であって、前記追記型情報記録媒体は、複数が関連付けて使用され、前記追記型情報記録媒体は、ユーザデータを記録するデータ領域と、前記情報記録媒体に関する管理情報を過渡的に記録するための一時管理情報領域を備え、前記情報記録方法は、前記追記型情報記録媒体における前記一時管理情報領域に、当該追記型情報記録媒体における前記管理情報である第１管理情報と、関連付けて使用される少なくとも１つの他の前記追記型情報記録媒体における前記管理情報である第２管理情報とを組み合わせて、前記第１管理情報が前記一時管理情報領域における記録済み領域の終端位置に配置するように記録し、これにより、上記目的を達成する。
【００２９】
前記管理情報は、データ領域への記録状態を管理するための記録管理情報と、前記追記型情報記録媒体におけるレイアウト情報や前記記録管理情報に関する位置情報を備えるディスク定義構造を含み、前記ディスク定義構造に、前記第１管理情報か前記第２管理情報かを識別可能な情報を含む形で記録しても良い。
【００３０】
本発明の情報再生方法は、エラー訂正の単位であるブロック単位に記録再生を行う追記型情報記録媒体から情報を読み出す情報再生方法であって、前記追記型情報記録媒体は、複数が関連付けて使用され、前記追記型情報記録媒体は、ユーザデータを記録するデータ領域と、前記情報記録媒体に関する管理情報を過渡的に記録するための一時管理情報領域を備え、前記追記型情報記録媒体における前記一時管理情報領域には、当該追記型情報記録媒体における前記管理情報である第１管理情報に加え、関連付けて使用される少なくとも１つの他の前記追記型情報記録媒体における前記管理情報である第２管理情報が組み合わされ、かつ前記第１管理情報が前記一時管理情報領域における記録済み領域の終端位置に配置されるように記録されており、前記情報再生方法は、最新の前記管理情報の取得を行う場合に、（ａ）ある前記追記型情報記録媒体における前記一時管理情報領域から最新の前記第１管理情報を取得するステップ、（ｂ）少なくとも、前記ステップ（ａ）で前記第１管理情報の取得に失敗した場合に、当該追記型情報記録媒体の前記管理情報が前記第２管理情報として記録されている他の前記追記型記録媒体の前記一時管理情報領域から、最新の前記第２管理情報を取得するステップを備え、これにより、上記目的を達成する。
【００３１】
前記管理情報は、データ領域への記録状態を管理するための記録管理情報と、前記追記型情報記録媒体におけるレイアウト情報や前記記録管理情報に関する位置情報を備えるディスク定義構造を含み、少なくとも前記ステップ（ｂ）は、前記ディスク定義構造に記録された、前記第１管理情報か前記第２管理情報かを識別可能な情報をもとに、前記第２管理情報を取得しても良い。
【００３２】
本発明の情報記録装置は、エラー訂正の単位であるブロック単位に記録再生を行う追記型情報記録媒体への情報記録装置であって、前記追記型情報記録媒体は、複数が関連付けて使用され、前記追記型情報記録媒体は、ユーザデータを記録するデータ領域と、前記情報記録媒体に関する管理情報を過渡的に記録するための一時管理情報領域を備え、前記情報記録装置は、前記追記型情報記録媒体における前記一時管理情報領域に、当該追記型情報記録媒体における前記管理情報である第１管理情報と、関連付けて使用される少なくとも１つの他の前記追記型情報記録媒体における前記管理情報である第２管理情報とを組み合わせて、前記第１管理情報が前記一時管理情報領域における記録済み領域の終端位置に配置するように記録する管理情報記録制御部を備え、これにより、上記目的を達成する。
【００３３】
前記管理情報は、データ領域への記録状態を管理するための記録管理情報と、前記追記型情報記録媒体におけるレイアウト情報や前記記録管理情報に関する位置情報を備えるディスク定義構造を含み、前記管理情報記録制御部は、前記ディスク定義構造に、前記第１管理情報か前記第２管理情報かを識別可能な情報を含む形で記録しても良い。
【００３４】
本発明の情報再生装置は、エラー訂正の単位であるブロック単位に記録再生を行う追記型情報記録媒体から情報を読み出す情報再生装置であって、前記追記型情報記録媒体は、複数が関連付けて使用され、前記追記型情報記録媒体は、ユーザデータを記録するデータ領域と、前記情報記録媒体に関する管理情報を過渡的に記録するための一時管理情報領域を備え、前記追記型情報記録媒体における前記一時管理情報領域には、当該追記型情報記録媒体における前記管理情報である第１管理情報に加え、関連付けて使用される少なくとも１つの他の前記追記型情報記録媒体における前記管理情報である第２管理情報が組み合わされ、かつ前記第１管理情報が前記一時管理情報領域における記録済み領域の終端位置に配置されるように記録されており、前記情報再生装置は、最新の管理情報の取得を行う管理情報取得制御部を備え、前記管理情報取得制御部は、ある前記追記型情報記録媒体における前記一時管理情報領域から最新の前記第１管理情報を取得するとともに、少なくとも前記第１管理情報の取得に失敗した場合に、当該追記型情報記録媒体の前記管理情報が前記第２管理情報として記録されている他の前記追記型記録媒体の前記一時管理情報領域から、最新の前記第２管理情報を取得し、これにより、上記目的を達成する。
【００３５】
前記管理情報は、データ領域への記録状態を管理するための記録管理情報と、前記追記型情報記録媒体におけるレイアウト情報や前記記録管理情報に関する位置情報を備えるディスク定義構造を含み、前記管理情報取得制御部は、前記ディスク定義構造に記録された、前記第１管理情報か前記第２管理情報かを識別可能な情報をもとに、少なくとも前記第２管理情報を取得しても良い。
【００３６】
本発明の情報記録媒体は、エラー訂正の単位であるブロック単位に記録再生を行う追記型情報記録媒体であって、前記追記型情報記録媒体は、ユーザデータを記録するデータ領域と、前記情報記録媒体に関する管理情報を過渡的に記録するための一時管理情報領域を備え、前記管理情報は、データ領域への記録状態を管理する情報を含む記録管理情報と、前記追記型情報記録媒体におけるレイアウト情報や前記記録管理情報に関する位置情報を備えるディスク定義構造を含み、前記一時管理領域には、前記データ領域への記録状態を管理する情報が同一内容の前記記録管理情報を含む前記管理情報が連続して複数回追記され、前記複数回記録される前記管理情報のそれぞれに含まれる前記ディスク定義構造に含まれる前記位置情報は、それぞれの前記管理情報における前記記録管理情報が記録された前記ブロックを示し、これにより、上記目的を達成する。
【００３７】
本発明の情報記録方法は、エラー訂正の単位であるブロック単位に記録再生を行う追記型情報記録媒体へ情報の記録を行う情報記録方法であって、前記追記型情報記録媒体は、ユーザデータを記録するデータ領域と、前記情報記録媒体に関する管理情報を過渡的に記録するための一時管理情報領域を備え、前記管理情報は、データ領域への記録状態を管理する情報を含む記録管理情報と、前記追記型情報記録媒体におけるレイアウト情報や前記記録管理情報に関する位置情報を備えるディスク定義構造を含み、前記情報記録方法は、前記一時管理領域に、前記データ領域への記録状態を管理する情報が同一内容の前記記録管理情報を含む前記管理情報を連続して複数回追記し、前記複数回記録される前記管理情報のそれぞれに含まれる前記ディスク定義構造に含まれる前記位置情報は、それぞれの前記管理情報における前記記録管理情報が記録された前記ブロックを示し、これにより、上記目的を達成する。
【００３８】
本発明の情報再生方法は、エラー訂正の単位であるブロック単位に記録再生を行う追記型情報記録媒体から情報の読み出しを行う情報再生方法であって、前記追記型情報記録媒体は、ユーザデータを記録するデータ領域と、前記情報記録媒体に関する管理情報を過渡的に記録するための一時管理情報領域を備え、前記管理情報は、データ領域への記録状態を管理する情報を含む記録管理情報と、前記追記型情報記録媒体におけるレイアウト情報や前記記録管理情報に関する位置情報を備えるディスク定義構造を含み、前記一時管理領域には、前記データ領域への記録状態を管理する情報が同一内容の前記記録管理情報を含む前記管理情報が連続して複数回追記されており、前記情報再生方法は、最新の前記管理情報の取得を行う場合に、（ａ）前記一時管理情報領域の記録済み終端位置に配置された前記管理情報を取得するステップ、（ｂ）少なくとも、前記ステップ（ａ）で前記管理情報の取得に失敗した場合に、前記複数回記録された前記管理情報のうち、記録済み終端位置に配置された前記管理情報とは異なる他の前記管理情報を取得するステップを備え、これにより、上記目的を達成する。
【００３９】
本発明の情報記録装置は、エラー訂正の単位であるブロック単位に記録再生を行う追記型情報記録媒体へ情報の記録を行う情報記録装置であって、前記追記型情報記録媒体は、ユーザデータを記録するデータ領域と、前記情報記録媒体に関する管理情報を過渡的に記録するための一時管理情報領域を備え、前記管理情報は、データ領域への記録状態を管理する情報を含む記録管理情報と、前記追記型情報記録媒体におけるレイアウト情報や前記記録管理情報に関する位置情報を備えるディスク定義構造を含み、前記情報記録装置は、管理情報の記録を行う管理情報記録部を備え、前記管理情報記録部は、前記一時管理領域に、前記データ領域への記録状態を管理する情報が同一内容の前記記録管理情報を含む前記管理情報を連続して複数回追記し、前記複数回追記される前記管理情報のそれぞれに含まれる前記ディスク定義構造に含まれる前記位置情報は、それぞれの前記管理情報における前記記録管理情報が記録された前記ブロックを示し、これにより、上記目的を達成する。
【００４０】
本発明の情報再生装置は、エラー訂正の単位であるブロック単位に記録再生を行う追記型情報記録媒体から情報の読み出しを行う情報再生装置であって、前記追記型情報記録媒体は、ユーザデータを記録するデータ領域と、前記情報記録媒体に関する管理情報を過渡的に記録するための一時管理情報領域を備え、前記管理情報は、データ領域への記録状態を管理する情報を含む記録管理情報と、前記追記型情報記録媒体におけるレイアウト情報や前記記録管理情報に関する位置情報を備えるディスク定義構造を含み、前記一時管理領域には、前記データ領域への記録状態を管理する情報が同一内容の前記記録管理情報を含む前記管理情報が連続して複数回追記されており、前記情報再生装置は、前記管理情報の取得を行う管理情報再生部を備え、前記管理情報再生部は、前記一時管理情報領域の記録済み終端位置に配置された前記管理情報を取得するとともに、少なくとも、前記記録済み終端位置に配置された前記管理情報の取得に失敗した場合に、前記複数回記録された前記管理情報のうち、記録済み終端位置に配置された前記管理情報とは異なる他の前記管理情報を取得し、これにより、上記目的を達成する。
【発明の効果】
【００４１】
本発明の情報記録媒体、情報記録再生装置、および情報記録再生方法によれば、追記型情報記録媒体の記録再生のために必要な最新の管理情報を、より信頼性を高めた形で冗長記録できる。言い換えれば、最新の管理情報の取得に失敗したような場合でも、多重記録された別の管理情報を取得可能となるため、継続して当該追記型情報記録媒体に対して記録再生を行うことが出来る。これにより、使用中の情報記録媒体が後発的な欠陥（指紋や埃、傷など）に侵された場合でも、その情報記録媒体を確実に、かつ即座に記録再生できる状態に出来る可能性を高めることが出来る。
【図面の簡単な説明】
【００４２】
【図１】本発明の実施の形態１における、光ディスク１のＴＤＭＡ１７への管理情報の記録方法を示す説明図
【図２】本発明の実施の形態１における光ディスク記録再生装置１００、並びに本発明の実施の形態２における光ディスクドライブ２３０の装置構成図
【図３】本発明の実施の形態１における、メモリ１５０に保持するデータ構成の例を示す説明図
【図４】本発明の実施の形態１における、追記型の光ディスク１のＴＤＭＡ１７への管理情報記録手順を示す処理フロー図
【図５】本発明の実施の形態１における、追記型の光ディスク１のＴＤＭＡ１７からの最新の管理情報読み出し手順を示す処理フロー図
【図６】本発明の実施の形態１における、追記型の光ディスク１のＴＤＭＡ１７からの最新の管理情報読み出し動作の説明図
【図７】従来のＴＤＭＡ１７からの最新の管理情報読み出し手順を示すフロー図
【図８】本発明の実施の形態２における、光ディスクアレイシステム２００の装置構成図
【図９】本発明の実施の形態２における、メモリ２２０に保持するデータ構成の例を示す説明図
【図１０】本発明の実施の形態２における、ディスクアレイを構成する全ての光ディスク１のＴＤＭＡ１７に管理情報を記録する場合の記録方法を示す説明図
【図１１】本発明の実施の形態２における、ディスクアレイを構成する一部の光ディスク１のＴＤＭＡ１７に管理情報を記録する場合の記録方法を示す説明図
【図１２】本発明の実施の形態２における、ディスクアレイを構成する光ディスク１のＴＤＭＡ１７へのＴＤＭＳ記録方法について、管理情報要素単位で示した説明図
【図１３】本発明の実施の形態２における、ディスクアレイを構成する光ディスク１への新たな管理情報の更新記録処理手順を示すフロー図
【図１４】本発明の実施の形態２における、ディスクアレイを構成する光ディスク１のＴＤＭＡ１７への管理情報更新方法の一例を示す説明図
【図１５】本発明の実施の形態１における、ディスクアレイを構成する光ディスク１のＴＤＭＡ１７からの最新の管理情報読み出し手順を示す処理フロー図
【図１６】本発明の実施の形態２における、ディスクアレイを構成する光ディスク１のＴＤＭＡ１７からの最新の管理情報読み出し動作の説明図
【図１７】本発明の実施の形態２における、ディスクアレイを構成する光ディスク１への管理情報更新の規則を変更する場合の記録方法を示す説明図
【図１８】一般的な光ディスクの領域構成図
【図１９】一般的な書換え型光ディスクのある記録層における領域構造説明図
【図２０】一般的な追記型光ディスクのある記録層における領域構造説明図
【図２１】従来の手順による、追記型の光ディスク１のＴＤＭＡ１７への管理情報の記録方法を示す説明図
【図２２】一般的な追記型光ディスクにおける、ＴＤＤＳ３０、ＴＤＦＬ３１およびＳＲＲＩ３２のデータ構造に関する説明図
【発明を実施するための形態】
【００４３】
以下本発明の実施の形態について、図面を参照しながら説明する。
【００４４】
なお、本発明の実施の形態では、情報記録媒体として、追記型光ディスクを例にとって説明を行う。また以降の説明において、“管理情報”とはＴＤＦＬ３１やＳＲＲＩ３２やＴＤＤＳ３０など全てをまとめた全体的な総称として使用することとし、管理情報を構成するＴＤＦＬ３１やＳＲＲＩ３２など１つ１つの個別の要素については“管理情報要素”と呼ぶこととする。
【００４５】
（実施の形態１）
本発明の実施の形態１では、１台の光ディスク記録再生装置１００と１枚の光ディスク１によって実現可能な、管理情報の多重記録方法について述べる。
【００４６】
本発明の実施の形態１における追記型光ディスクの、ある記録層における領域構造は、図２０を用いて説明した従来の追記型光ディスクのものと同じであるため、ここでの詳細な説明は省略する。
【００４７】
１）記録再生装置
まず始めに、本発明の実施の形態１における光ディスク記録再生装置１００の構成について簡単に説明する。
【００４８】
図２は、本発明の実施の形態１の追記型光ディスクに情報の記録再生を行う記録再生装置の構成を示す説明図である。
【００４９】
光ディスク記録再生装置１００は、Ｉ／Ｏバス１８０を介して上位制御装置（図示せず）に接続される。上位制御装置は、例えば、ホストコンピュータ（ホストＰＣ）である。
【００５０】
光ディスク記録再生装置１００は、上位制御装置からの命令を処理する命令処理部１１０と、光ディスク１に対して記録再生を行うためにレーザ光を照射する光ピックアップ１２０と、光ピックアップ１２０から出力されるレーザパワー等の制御を行うレーザ制御部１３０と、光ピックアップ１２０を目的位置へ移動したりサーボ制御を行うためのメカ制御部１４０と、記録及び再生したユーザデータやその他情報を管理したりバッファとして一時的に格納するメモリ１５０と、ＴＤＭＡ１７やＤＭＡから読み出した最新の管理情報を構成する各管理情報要素（ＴＤＤＳ３０、ＴＤＦＬ３１、およびＳＲＲＩ３２など）や、光ディスク１に対して更新記録する最新状態の各管理情報要素を格納しておく管理情報格納メモリ１６０と、光ディスク１からの記録再生処理などのドライブ処理全般の統括制御を行うドライブ制御部１７０とを備える。
【００５１】
ドライブ制御部１７０はさらに、ユーザデータや管理情報等のデータの記録再生を行う記録部１７１、再生部１７２と、光ディスク１の管理情報などに基づいて管理情報やユーザデータを読み出す位置や次に記録する位置を管理するアクセス位置管理部１７３と、管理情報格納メモリ１６０に格納された各管理情報要素の更新を行う管理情報更新部１７４と、管理情報格納メモリ１６０に格納された各種管理情報要素から更新が必要なデータを組み合わせてＴＤＭＡ１７に記録するＴＤＭＳやＤＭＡに記録するＤＭＳを生成する管理情報生成部１７５から構成される。
【００５２】
なお管理情報格納メモリ１６０は、管理情報更新記録前に電源断が発生するなどして情報が消失してしまうことを防ぐため、不揮発メモリで構成されても良い。或いは不揮発メモリを更に備えても良い。こうすれば、管理情報保護レベルを強化するという観点で効果的である。
【００５３】
なお図２では、メモリ１５０と管理情報格納メモリ１６０を異なる構成要素として記載しているが、これは説明上分かりやすくするためであり、物理的には同一の構成要素を用いて実現されても良い。
【００５４】
２）記録方法
図１は、本発明の実施の形態１における、追記型の光ディスク１のＴＤＭＡ１７に管理情報を記録する場合の記録方法を示す図である。なお、光ディスク１はブロック３の単位で記録再生が行われるため、図１中に示すＴＤＭＳのサイズはいずれもブロック３の整数倍となる。つまり例えば図１（ｂ）におけるセクタアドレスＡ、Ｄ、Ｇ、Ｉ、Ｋはいずれもブロック３の先頭のセクタ位置となる。言い換えると、特に図示はしないが、図中に示す各ＴＤＭＳの中には、管理情報要素であるＴＤＤＳ３０、ＴＤＦＬ３１およびＳＲＲＩ３２の他に、ＴＤＭＳのサイズがブロック３の単位となるよう、意味を持たないパディングデータを含みうる。
【００５５】
この方法の特徴は、一部を除いて同じ内容の管理情報要素を含むＴＤＭＳを複数回（この図の場合は２回）繰り返して多重記録することにある。ここでは、多重記録回数は２回であるものとして説明を行う。
【００５６】
図中の＃に続く添え字は、更新回数情報（例えばＤＤＳ更新回数４９）を示す。更新記録する前のＴＤＦＬ３１の更新回数がａ−１回、ＳＲＲＩ３２の更新回数がｂ−１回、ＴＤＤＳ３０の更新回数がｃ−１回（ａ、ｂ、ｃはいずれも、１以上の正数）であるとする。また、ＴＤＭＡ１７において、次の記録（追記）位置は、光ディスク１上の実アドレス（物理アドレス）であるセクタアドレス：Ａの位置であるとする。
【００５７】
この場合、次にＴＤＭＳを記録する際、ＳＲＲＩ３２、ＴＤＦＬ３１ともに更新記録する場合には、ＴＤＤＳ３０も含めて、それぞれの更新回数を１増やす。具体的には、ＴＤＦＬ３１の第１ＤＦＬ更新回数５４と第２ＤＦＬ更新回数５８を“ａ”に、およびＳＲＲＩ３２の第１ＳＲＲＩ更新回数６４と第２ＳＲＲＩ更新回数６８を“ｂ”に、およびＴＤＤＳ３０のＤＤＳ更新回数４９を“ｃ”にする。加えてＴＤＤＳ３０のＴＤＦＬ先頭位置４６をセクタアドレス：Ａに、ＳＲＲＩ先頭位置４５をセクタアドレス：Ｂにする。そして、これらの管理情報要素を組み合わせたＴＤＭＳ＃ｄ（ｄは０以上の正数）を、多重記録の１回目として、まずＴＤＭＡ１７に記録する。続けて、さらに更新回数を１増やして、ＴＤＦＬ３１の第１ＤＦＬ更新回数５４と第２ＤＦＬ更新回数５８を“ａ＋１”に、およびＳＲＲＩ３２の第１ＳＲＲＩ更新回数６４と第２ＳＲＲＩ更新回数６８を“ｂ＋１”に、およびＴＤＤＳ３０のＤＤＳ更新回数４９を“ｃ＋１”にする。加えてＴＤＤＳ３０のＴＤＦＬ先頭位置４６をセクタアドレス：Ｄに、ＳＲＲＩ先頭位置４５をセクタアドレス：Ｅにする。そして、これらの管理情報要素を組み合わせたＴＤＭＳ＃（ｄ＋１）を、多重記録の２回目として、続けてＴＤＭＡ１７に記録する。つまり、ＴＤＭＳ＃ｄとＴＤＭＳ＃（ｄ＋１）は、各管理情報要素の更新回数の値が異なる（但し、必ず連続した奇数・偶数の値の関係になる）ことを除けば、記録管理情報であるＴＤＦＬ３１及びＳＲＲＩ３２は全く同じ情報が多重記録される。またディスク定義構造であるＴＤＤＳ３０も、記録管理情報が実際に記録された位置情報であるＳＲＲＩ先頭位置４５、並びにＴＤＦＬ先頭位置４６の値が更に異なることを除いて、全て同じ情報が多重記録される。
【００５８】
図１（ｂ）は、図１（ａ）の状態から、光ディスク１に対してさらに記録が実施され、新たに管理情報を更新記録する場合の様子を示す。ここで、（ａ）の状態から（ｂ）に至るまでの間には、新たな欠陥ブロックの検出はなく、ＴＤＭＳとしてＳＲＲＩ３２とＴＤＤＳ３０のみが記録されるものとする。図１（ｂ）の場合も、図１（ａ）の場合と同様に、同じ内容のＴＤＭＳ＃（ｄ＋２）とＴＤＭＳ＃（ｄ＋３）という形で多重記録される。具体的には、ＴＤＭＳ＃（ｄ＋２）として、更新記録するＳＲＲＩ３２とＴＤＤＳ３０の更新回数を１増やす。つまり、ＳＲＲＩ３２の第１ＳＲＲＩ更新回数６４と第２ＳＲＲＩ更新回数６８を“ｂ＋２”に、およびＴＤＤＳ３０のＤＤＳ更新回数４９を“ｃ＋２”にする。加えて、ＴＤＤＳ３０のＴＤＦＬ先頭位置４６をセクタアドレス：Ａに、ＳＲＲＩ先頭位置４５をセクタアドレス：Ｇにする。そしてこれらの管理情報要素を組み合わせたＴＤＭＳ＃（ｄ＋２）を、多重記録の１回目として、ＴＤＭＡ１７の次の記録位置であるセクタアドレス：Ｇの位置から記録する。なおここで、今回更新記録されなかったＴＤＦＬの位置であるＴＤＦＬ先頭位置４６としては、先にＴＤＦＬ３１が正しく記録された位置を指す。そこで、前回の多重記録セットにおける１回目のＴＤＭＳにてＴＤＦＬ３１が記録された位置であるセクタアドレス“Ａ”を指す形で記録する。続けて、さらに更新回数を１増やす。つまり、ＳＲＲＩ３２の第１ＳＲＲＩ更新回数６４と第２ＳＲＲＩ更新回数６８を“ｂ＋３”に、およびＴＤＤＳ３０のＤＤＳ更新回数４９を“ｃ＋３”にする。加えて、ＴＤＤＳ３０のＴＤＦＬ先頭位置４６をセクタアドレス：Ｄに、ＳＲＲＩ先頭位置４５をセクタアドレス：Ｉにする。そして、これらの管理情報要素を組み合わせたＴＤＭＳ＃（ｄ＋３）を、多重記録の２回目として、続けてＴＤＭＡ１７に記録する。つまり、ＴＤＭＳ＃（ｄ＋２）とＴＤＭＳ＃（ｄ＋３）は、各管理情報要素の更新回数の値が異なる（但し、必ず連続した奇数・偶数の値の関係になる）ことを除けば、記録管理情報であるＴＤＦＬ３１及びＳＲＲＩ３２は全く同じ情報が多重記録される。またディスク定義構造であるＴＤＤＳ３０も、記録管理情報が実際に記録された位置情報であるＳＲＲＩ先頭位置４５、並びにＴＤＦＬ先頭位置４６の値が異なることを除いて、全て同じ情報が多重記録される。
【００５９】
なおここで、図１（ｂ）の場合には、ＴＤＦＬ３１の更新記録を行わなかったため、多重記録されるＴＤＤＳ３０に含まれるＴＤＦＬ先頭位置４６は、同じ位置（例えば、ＴＤＤＳ＃（ｃ＋２）のＴＤＦＬ先頭位置４６及びＴＤＤＳ＃（ｃ＋３）のＴＤＦＬ先頭位置４６とも、セクタアドレス：“Ｄ”の位置）として記録することも可能であるが、それよりも、上述したような記録方法が好ましい。その理由は、ディスク上の傷やディフェクトなどの影響で記録中にアブノーマル・ジャンプ（例えば、トラック飛び）が発生し、すでに記録済みの領域のデータを書き潰してしまうような事態が考えられるためである。もし万が一、最新ＴＤＭＳセット（図１（ｂ）の場合はＴＤＭＳ＃（ｄ＋２）とＴＤＭＳ＃（ｄ＋３））のＴＤＤＳ３０におけるＴＤＦＬ先頭位置４６が同じセクタアドレス：Ｄの位置を指していた場合、アブノーマル・ジャンプなどでそのセクタ（ブロック）が書き潰されてしまった場合には、最新ＴＤＭＳセット（図１（ｂ）の場合はＴＤＭＳ＃（ｄ＋２）とＴＤＭＳ＃（ｄ＋３））から正しいＴＤＦＬ３１が読み出せなくなってしまうことになる。そのため多重記録セットに含まれるＴＤＤＳ３０が指すＳＲＲＩ先頭位置４５、ＴＤＦＬ先頭位置４６など位置情報を示す情報は、別々の位置を指すようにして記録する方が、より信頼性が増して好ましいと言える。
【００６０】
なお、図１においてはＴＤＭＳを２回多重記録する例を示したが、ＴＤＭＳを多重記録する回数は任意である。具体的には、多重回数の回数を増やせばＴＤＭＡ１７の消費速度が速まることになり、更新記録可能な回数が減ることになる。つまり、管理情報の保護強度と更新記録可能な回数とから、多重記録回数を判断すれば良い。
【００６１】
このような記録方法を採用することで得られる効果について説明する。例えば図２０に示すように、追記型光ディスクの管理情報を記録するＴＤＭＡ１７は主に内周側に存在する場合が多い。一般的に、ＴＤＦＬ３１のサイズは、多くの欠陥ブロック検出や交替処理実施がなされない限りさほど大きくならないため、ＴＤＦＬ３１とＳＲＲＩ３２とＴＤＤＳ３０とを組み合わせたＴＤＭＳは１ブロックサイズとなることが多い。ここで、ＴＤＭＡ１７が存在する内周側の領域は１トラックあたりおよそ２ブロックで構成される。つまりＴＤＭＡ１７が配置されるような光ディスク１の内周側の領域が運悪く後発的な欠陥（指紋や埃、傷など）に侵された場合、単純に言えば５０％の確率で最新の管理情報が配置されたブロック３が後発的な欠陥の影響を受ける可能性がある。このような場合でも、同一内容の最新の管理情報を連続して多重記録しておくことで、いずれか一方の管理情報は読み出せる可能性が非常に高く、光ディスク１が最新の管理情報取得失敗による記録不可状態（Ｗｒｉｔｅ  Ｐｒｏｔｅｃｔ）、或いは再生時のデータ化け発生状態に陥るリスクを低減することが可能になる。また最悪の場合は、以前記録された管理情報取得にも失敗した場合には再生不可状態になってしまうが、同一内容の最新の管理情報を連続して多重記録しておくことで、再生不可状態に陥るリスクも低減することが可能になる。またこれは、１トラック５ブロック以上となる外周側の領域であっても同様の効果を得ることが出来ることは言うまでも無い。
【００６２】
３）記録（最新の管理情報記録）手順
図４は、光ディスク記録再生装置１００が光ディスク１のＴＤＭＡ１７に新たに管理情報を更新記録する場合の手順を示すフロー図である。
【００６３】
ステップ４０１：更新記録する管理情報要素（ＴＤＦＬ３１、ＳＲＲＩ３２とＴＤＤＳ３０）を判断する。具体的には、ドライブ制御部１７０は、管理情報格納メモリ１６０中にて管理している各管理情報要素が管理情報更新部１７４によって更新され、新たな管理情報として光ディスク１のＴＤＭＡ１７に更新記録する必要があるか否かを判断する。なお、各管理情報要素更新のタイミングは、例えば光ディスク１を光ディスク情報記録再生装置から排出（イジェクト）する時や、光ディスク１へのアクセスが所定時間以上発生しない非繁忙時など、ドライブ制御部１７０によって任意のタイミングに制御されうる。また管理情報要素の性質によって、管理情報要素ごとに切替えても良い（例えばＳＲＲＩ３２のＳＲＲ最終記録位置６６などは、仮にＴＤＭＡ１７に最新状態に更新記録される前に電源断などが発生して失われても、その後光ディスク１に対して記録済み領域の終端探索を行うことで再生成することが可能である。一方でＴＤＦＬ３１のＤＦＬエントリ５１が失われると、再生成できない、または再生成が非常に困難であるなど。そのため、ＳＲＲＩ３２よりもＴＤＦＬ３１の方を優先的に確実に更新記録できるようにＴＤＭＡ１７への更新記録タイミングを制御するなど）。
【００６４】
ステップ４０２：以下のステップ４０３から４０６をｋ回（ｋは１以上の正数）繰り返す。ここでｋとはＴＤＭＳの多重記録回数のことであり、例えば図１で示したように２回である。
【００６５】
ステップ４０３：ＴＤＭＡ１７において、次に管理情報（ＴＤＭＳ）を記録する位置を確定する。具体的には、ドライブ制御部１７０におけるアクセス位置管理部１７３は、次にＴＤＭＳを記録可能なＴＤＭＡ１７における先頭位置、つまりＴＤＭＡ１７における記録済みと未記録の境界位置を探索（記録済み終端探索）し、境界位置に隣接する未記録ブロックの先頭位置を、次にＴＤＭＳを記録する位置として確定する。なお、記録済み終端探索の方法としては、後述する図５におけるステップ５０１に詳細を記述する。
【００６６】
なおこの記録位置は、必ずしもこのタイミングで確定させずとも、これより前に確定されていても良い。具体的には、例えば光ディスク１を起動する際には、後述する「４）再生手順」にも示すように、ＴＤＭＡ１７における記録済みと未記録の境界位置を基準にして最新の管理情報の読み出しを行うため、その時点でＴＤＭＡ１７における次の記録位置は確定されることになる。よって、この境界位置情報をもとにＴＤＭＡ記録開始位置７０として図３に示すように内部情報としてメモリ１５０（または管理情報格納メモリ１６０）に記憶しておけば、更新記録の際に改めて算出する必要は無くなる。また以降は、ＴＤＭＳを新規記録するたびに、記録完了した次のブロック先頭位置をＴＤＭＡ記録開始位置７０としてメモリ１５０の値を更新すれば、それが次の記録開始位置になる。
【００６７】
ステップ４０４：更新記録する管理情報要素における更新回数情報を１インクリメントする。具体的にはドライブ制御部１７０における管理情報更新部１７４は、管理情報格納メモリ１６０に格納されている更新記録対象の管理情報要素における更新回数情報に相当する情報を、現在の値より１大きい値に更新する。より具体的には、例えばＳＲＲＩ３２とＴＤＤＳ３０をＴＤＭＳとして更新記録する場合は、第１ＳＲＲＩ更新回数６４と第２ＳＲＲＩ更新回数６８とＤＤＳ更新回数４９に相当する情報を、現在の値より１大きい値に更新する。
【００６８】
ステップ４０５：ＴＤＤＳ中に含まれる各管理情報要素の記録位置情報を更新する。具体的には、ドライブ制御部１７０における管理情報更新部１７４は、ステップ４０３で求めた記録位置に基づき、管理情報格納メモリ１６０に格納されているＴＤＤＳ３０に相当する情報におけるＳＲＲＩ先頭位置４５および／またはＴＤＦＬ先頭位置４６の値を更新する。なお、少なくとも更新したＳＲＲＩ先頭位置４５並びにＴＤＦＬ先頭位置４６については、ＴＤＭＳとして多重記録するｋ個分の値をそれぞれ、例えば図３に示すように、ＳＲＲＩ記録位置７５、ＴＤＦＬ記録位置７６としてメモリ１５０中に記憶しておく。あるいは、ＴＤＤＳ３０全てを多重記録するｋ個分別々に記憶しても良い。これは、上述した図１（ｂ）に示すように、ＴＤＭＳの多重記録セットに含まれるＴＤＤＳ３０が指すＳＲＲＩ先頭位置４５、ＴＤＦＬ先頭位置４６など位置情報を示す情報は、次のＴＤＭＳ記録の際に相当する管理情報要素の記録が行われなかった場合に、それぞれ別々の位置を指すように制御できるように、前回記録した位置を記憶しておくためである。
【００６９】
ステップ４０６：ＴＤＭＡ１７に新たなＴＤＭＳを更新記録する。具体的には、ドライブ制御部１７０における管理情報生成部１７５は、上記ステップ４０４、４０５にて更新された管理情報要素を組み合わせたＴＤＭＳを生成してメモリ１５０中のバッファ領域または管理情報格納メモリ１６０に格納する。そしてドライブ制御部１７０は、記録を行うレーザパワーやストラテジ等の記録条件をレーザ制御部１３０に設定し、ステップ４０３で算出した記録を行う位置に対してメカ制御部１４０を用いて光ピックアップ１２０を移動させ、記録部１７１によって新たな管理情報をＴＤＭＡ１７に記録する。ここで、もし記録したブロックがディフェクト等に侵されていて記録に失敗した場合には、後続するブロックに対して正常に記録が行われるまでステップ４０５とステップ４０６を繰り返して行う。
【００７０】
ステップ４０７：上述したステップ４０３からステップ４０６をｋ回（ｋは１以上の正数）繰り返す。
【００７１】
以上の手順で、ＴＤＭＡ１７への新たな管理情報の記録は完了する。
【００７２】
４）再生（最新の管理情報読み出し）手順
図５は、光ディスク記録再生装置１００が光ディスク１のＴＤＭＡ１７に記録されている最新の管理情報読み出しを行う場合の手順を示すフロー図である。本処理は例えば、光ディスク１が光ディスク記録再生装置１００に装着された後の最初の起動時などのタイミングで実施される。
【００７３】
なお、最新の管理情報読み出し状態を管理するため、図３に示すように、メモリ１５０にＴＤＤＳ取得フラグ７１、ＳＲＲＩ取得フラグ７２及びＴＤＦＬ取得フラグ７３を設けておき、初期状態としてそれぞれＦＡＬＳＥ（未取得）状態に設定しておく。
【００７４】
ステップ５０１：ＴＤＭＡ１７の記録済み終端位置を探索する。具体的にはドライブ制御部１７０は、ＴＤＭＡ１７０に対して、光ピックアップ１２０から光ディスク１に向けて照射されたレーザ光の反射光の振幅（エンベ）信号などを用い、その振幅信号の変化から、記録済み領域と未記録領域の境界位置を判断する。なお、ここで求めた境界位置情報については、例えば未記録領域の先頭ブロック位置を、図３に示すように、ＴＤＭＡ記録開始位置７０としてメモリ１５０（または管理情報格納メモリ１６０）に記憶しておく。なお、境界位置の管理方法としては、必ずしもこの形で無くても良く、例えば記録済み終端ブロック位置など、境界位置と等価の内容で管理しても良い。
【００７５】
ステップ５０２：読み出しブロックを確定する。具体的には、ドライブ制御部１７０におけるアクセス位置管理部１７３は、管理情報読み出しを行う基準のブロック３を確定する。より詳細には、最初の読み出しを行う場合には、ステップ５０１で算出した境界位置に配置される記録済み終端ブロックに、そうで無い場合（例えば、後述のステップ５０４から再度実行されるような場合）には、先に確定した読み出しブロックの１つ手前のブロックに設定する。
【００７６】
ステップ５０３：ブロック３の読み出しを行う。具体的には、再生を行うレーザパワー等の再生条件をレーザ制御部１３０に設定し、ステップ５０２で確定した読み出しを行うブロック３の位置に対してメカ制御部１４０を用いて光ピックアップ１２０を移動させ、再生部１７２によってブロック３の読み出しを行い、メモリ１５０中のバッファ領域に格納する。なお以降では、読み出しを行うと記載した場合には、レーザパワーの設定や光ピックアップ１２０の移動なども全て含んでいるものとし、詳細な記載は省略する。
【００７７】
ステップ５０４：読み出しに成功したか否かを判断する。具体的にはドライブ制御部１７０は、ステップ５０２で実施したブロック３の読み出しがエラー訂正も含めて再生ＯＫであることに加え、更に再生したブロック３のデータのうち、所定位置（例えば最終セクタ位置）のデータがＴＤＤＳ３０か否かを、例えば読み出したブロックの最終セクタの先頭データがＤＤＳ識別子４８と合致するか否かで判断し、再生ＯＫでかつＴＤＤＳ３０と確認できた場合に、読み出しに成功したと判断する。
【００７８】
続けて、読み出しに成功したと判断した場合はステップ５０５を実施する。読み出しに失敗したと判断した場合には、ステップ５０２から処理をやり直す。
【００７９】
ステップ５０５：読み出したＴＤＤＳ３０が最新か否かを判断する。具体的にはドライブ制御部１７０は、読み出したブロック３がステップ５０１で算出した境界位置に配置される記録済み終端ブロックの場合には、読み出したＴＤＤＳ３０は最新であると判断する。この際、読み出した更新回数情報は図３に示すように、メモリ１５０に最新更新回数７４として記憶しておく。読み出したブロック３が記録済み終端ブロックでなかった場合、つまりリトライでステップ５０２からやり直したような場合には、最新更新回数７４の値をｐ（ｐは０以上の正数）とすると、多重記録回数であるｋ（ｋは１以上の正数）をもとに、ＤＤＳ更新回数４９の値が（ｐ−ｋ＋１）からｐの間の値であれば、最新ＴＤＭＳセットにおけるＴＤＤＳ３０、つまり最新のＴＤＤＳ３０であると判断する。なお、万が一にも、記録済み終端ブロックが汚れ等に侵されて読み出せないような場合に備え、例えば、光ディスク記録再生装置１００に不揮発メモリを更に備えておき、光ディスク１における最新のＴＤＤＳ３０におけるＤＤＳ更新回数４９などを記憶しておいて、この値をｐとして使用しても良い。
【００８０】
ステップ５０６：最新のＴＤＤＳ３０を確保する。具体的には、ドライブ制御部１７０は、ＴＤＤＳ取得フラグ７１がＦＡＬＳＥ（未取得）の場合には、ステップ５０３でメモリ１５０のバッファ領域に読み出したブロック３の所定位置（例えば最終セクタ位置）に配置される固定サイズのデータを最新のＴＤＤＳ３０として管理情報格納メモリ１６０へ格納する。これにより、最新のＴＤＭＳを構成する他の管理情報要素であるＳＲＲＩ３２、及びＴＤＦＬ３１が記録されている位置情報であるＳＲＲＩ先頭位置４５、及びＴＤＦＬ先頭位置４６が確定することになる。またメモリ１５０に備えたＴＤＤＳ取得フラグ７１をＴＲＵＥ（取得済み）に設定する。
【００８１】
一方、ステップ５０２からのリトライの場合などで既にＴＤＤＳ取得フラグ７１がＴＲＵＥ（取得済み）だった場合には、ＦＡＬＳＥだった場合と同様に、読み出したデータを最新のＴＤＤＳ３０として管理情報格納メモリ１６０を上書きするか、あるいは既に管理情報格納メモリ１６０に確保されているＴＤＤＳ３０のうち、少なくともＳＲＲＩ３２、及びＴＤＦＬ３１が記録されている先頭位置であるＳＲＲＩ先頭位置４５、及びＴＤＦＬ先頭位置４６を、新たに読み出した値で更新（上書き）する。
【００８２】
ステップ５０７：最新のＳＲＲＩ３２の読み出しを行う。具体的には、ドライブ制御部１７０における再生部１７２は、ステップ５０６で取得したＴＤＤＳ３０に含まれるＳＲＲＩ先頭位置４５が指すセクタを含むブロック３を再生し、メモリ１５０のバッファ領域に格納する。なお、ステップ５０６で取得したＴＤＤＳ３０に含まれるＳＲＲＩ先頭位置４５が指すセクタを含むブロック３が、ステップ５０３で読み出したブロック３と同じ場合には、改めて光ディスク１からの読み出しを実施しなくても良い。この場合は、ステップ５０３においてメモリ１５０のバッファ領域に読み出したブロック３のデータに対して、ＳＲＲＩ３２か否かの判断を行えばよい。なお、ステップ５０２からのリトライの場合などで、既にＳＲＲＩ取得フラグ７２がＴＲＵＥ（取得済み）の場合には、ステップ５０７からステップ５０９はスキップして、ステップ５１０へ進んでも良い。
【００８３】
ステップ５０８：最新のＳＲＲＩ３２の読み出しに成功したか否かを判断する。具体的にはドライブ制御部１７０は、ステップ５０７で実施したブロック３の読み出しがエラー訂正も含めて再生ＯＫであることに加え、更に再生したブロック３中のＳＲＲＩ先頭位置４５の指すセクタのデータがＳＲＲＩ３２か否かを、先頭のデータがＳＲＲＩ識別子６３と合致するか否かで判断し、再生ＯＫでかつＳＲＲＩ３２と確認できた場合に、読み出しに成功したと判断する。
【００８４】
続けて、読み出しに成功したと判断した場合はステップ５０９を実施する。読み出しに失敗したと判断した場合には、ステップ５０２から処理をやり直す。
【００８５】
ステップ５０９：最新のＳＲＲＩ３２を確保する。具体的には、ドライブ制御部１７０は、ステップ５０７でメモリ１５０のバッファ領域に読み出したブロック３中のＳＲＲＩ先頭位置４５の指すセクタの先頭に配置されるＳＲＲＩヘッダ６０に含まれるＳＲＲＩエントリ数６９から、ＳＲＲＩ３２のサイズを算出し、ＳＲＲＩ先頭位置４５が指す位置から算出したサイズ分のデータを最新のＳＲＲＩ３２として管理情報格納メモリ１６０に格納する。またメモリ１５０に備えたＳＲＲＩ取得フラグ７２をＴＲＵＥ（取得済み）に設定する。
【００８６】
ステップ５１０：最新のＴＤＦＬ３１の読み出しを行う。具体的には、ドライブ制御部１７０における再生部１７２は、ステップ５０６で取得した最新のＴＤＤＳ３０に含まれるＴＤＦＬ先頭位置４６が指すセクタを含むブロック３を再生し、メモリ１５０のバッファ領域に格納する。なお、ステップ５０６で取得したＴＤＤＳ３０に含まれるＴＤＦＬ先頭位置４６が指すセクタを含むブロック３が、ステップ５０３で読み出したブロック３と同じ場合には、改めて光ディスク１から読み出しを実施しなくても良い。なお上述したように、厳密に言えば、ＴＤＦＬ３１のサイズは１ブロックサイズを超える場合がある。ＴＤＦＬ３１のサイズは、ＴＤＦＬヘッダ５０に含まれるＤＦＬエントリ数５９から算出することが出来る。ＴＤＦＬ３１のサイズが１ブロックを超えるような場合には、このステップ５１０において、ＴＤＦＬ３１を構成するデータが含まれるブロック３の読み出しも行う。なお、ステップ５０２からのリトライの場合などで、既にＴＤＦＬ取得フラグ７３がＴＲＵＥ（取得済み）の場合には、ステップ５１０からステップ５１２はスキップして、ステップ５１３へ進んでも良い。
【００８７】
ステップ５１１：最新のＴＤＦＬ３１の読み出しに成功したか否かを判断する。具体的にはドライブ制御部１７０は、ステップ５１０で実施したブロック３の読み出しがエラー訂正も含めて再生ＯＫであることに加え、更に再生したブロック３中のＴＤＦＬ先頭位置４６の指すセクタのデータがＴＤＦＬ３１か否かを、先頭のデータがＤＦＬ識別子５３と合致するか否かで判断し、再生ＯＫでかつＴＤＦＬ３１と確認できた場合に、読み出しに成功したと判断する。
【００８８】
続けて、読み出しに成功したと判断した場合はステップ５１１を実施する。読み出しに失敗したと判断した場合には、ステップ５０２から処理をやり直す。
【００８９】
ステップ５１２：最新のＴＤＦＬ３２を確保する。具体的には、ドライブ制御部１７０は、ステップ５１０でメモリ１５０のバッファ領域に読み出したブロック３中のＴＤＦＬ先頭位置４６の指すセクタの先頭に配置されるＴＤＦＬヘッダ５０に含まれるＤＦＬエントリ数５９から、ＴＤＦＬ３１のサイズを算出し、ＴＤＦＬ先頭位置４６が指す位置から算出したサイズ分のデータを最新のＴＤＦＬ３１として管理情報格納メモリ１６０に格納する。またメモリ１５０に備えたＴＤＦＬ取得フラグ７３をＴＲＵＥ（取得済み）に設定する。
【００９０】
ステップ５１３：最新のＴＤＭＳを構成する全ての管理情報要素の取得に成功したとして、読み出し処理を終了する。このステップが実施される時点で、メモリ１５０に備えたＴＤＤＳ取得フラグ７１、ＳＲＲＩ取得フラグ７２およびＴＤＦＬ取得フラグ７３は全てＴＲＵＥになっている。
【００９１】
ステップ５１４：最新のＴＤＭＳを構成する管理情報要素が正しく取得できなかったとして、記録／再生禁止状態、あるいは制限つきでの再生のみ可能状態として、読み出し処理を終了する。このステップが実施される時点で、メモリ１５０に備えたＴＤＤＳ取得フラグ７１、ＳＲＲＩ取得フラグ７２およびＴＤＦＬ取得フラグ７３の少なくとも１つがＦＡＬＳＥになっている。
【００９２】
以上で、図５に示す最新の管理情報の読み出し処理を完了する。
【００９３】
この処理の動きについて、図６の場合を例に簡単に説明する。例えば図６（ａ）のように、通常はＴＤＭＡ１７の記録済み終端ブロックに存在するＴＤＤＳ３０であるＴＤＤＳ＃３が取得され、そこに含まれるＳＲＲＩ先頭位置４５及びＴＤＦＬ先頭位置４６が指すＳＲＲＩ＃３およびＴＤＦＬ＃１が最新の管理情報として取得される。
【００９４】
また図６（ｂ）に示すように、万が一、記録済み終端ブロックが汚れ等の影響で読み出し失敗した場合であっても、多重記録された別のＴＤＭＳに含まれるＴＤＤＳ＃２を探索・取得し、そこに含まれるＳＲＲＩ先頭位置４５及びＴＤＦＬ先頭位置４６が指すＳＲＲＩ＃２およびＴＤＦＬ＃０が最新の管理情報として取得される。
【００９５】
ここで参考のために、従来の最新管理情報読み出し処理と処理手順を比較してみる。図７は従来の管理情報読み出し処理手順を示すフロー図である。
【００９６】
ステップ７０１：ＴＤＭＡ１７の記録済み終端位置を探索する。本処理は、上述のステップ５０１と同じであり、詳細な説明は省略する。
【００９７】
ステップ７０２：所定のブロック３の読み出しを行う。所定のブロックとはＴＤＭＡ１７における記録済み終端ブロックのことである。本処理は、上述のステップ５０３と同じであり、詳細な説明は省略する。
【００９８】
ステップ７０３：読み出しに成功したか否かを判断する。本処理は、上述のステップ５０４と同じであり、詳細な説明は省略する。読み出しに成功したと判断した場合はステップ７０３へ進む。読み出しに失敗したと判断した場合には、ステップ７１１へ進む。
【００９９】
ステップ７０４：最新のＴＤＤＳ３０を確保する。本処理は、上述のステップ５０６と同じであり、詳細な説明は省略する。
【０１００】
ステップ７０５：最新のＳＲＲＩ３２の読み出しを行う。本処理は、上述のステップ５０７と同じであり、詳細な説明は省略する。
【０１０１】
ステップ７０６：最新のＳＲＲＩ３２の読み出しに成功したか否かを判断する。本処理は、上述のステップ５０８と同じであり、詳細な説明は省略する。読み出しに成功したと判断した場合はステップ７０７へ進む。読み出しに失敗したと判断した場合には、ステップ７１２へ進む。
【０１０２】
ステップ７０７：最新のＳＲＲＩ３２を確保する。本処理は、上述のステップ５０９と同じであり、詳細な説明は省略する。
【０１０３】
ステップ７０８：最新のＴＤＦＬ３１の読み出しを行う。本処理は、上述のステップ５１０と同じであり、詳細な説明は省略する。
【０１０４】
ステップ７０９：最新のＴＤＦＬ３１の読み出しに成功したか否かを判断する。本処理は、上述のステップ５１１と同じであり、詳細な説明は省略する。読み出しに成功したと判断した場合はステップ７１０へ進む。読み出しに失敗したと判断した場合には、ステップ７１２へ進む。
【０１０５】
ステップ７１０：最新のＴＤＦＬ３２を確保する。本処理は、上述のステップ５１２と同じであり、詳細な説明は省略する。
【０１０６】
ステップ７１１：最新のＴＤＭＳを構成する全ての管理情報要素の取得に成功したとして、読み出し処理を終了する。本処理は、上述のステップ５１３と同じであり、詳細な説明は省略する。
【０１０７】
ステップ７１２：最新のＴＤＭＳを構成する管理情報要素が正しく取得できなかったとして、記録／再生禁止状態、あるいは制限つきでの再生のみ可能状態として、読み出し処理を終了する。本処理は、上述のステップ５１４と同じであり、詳細な説明は省略する。
【０１０８】
この図７のフロー図と図５のフロー図を比較しても分かるように、従来の読み出し処理ではステップ７０３、ステップ７０６、ステップ７０９のいずれか１つででもエラーが発生した場合には、最新の管理情報取得に失敗してしまっていた。しかし図５に示す本発明の実施の形態１の方法によれば、基本的に従来の処理手順に含まれるものと同じ処理に対して更に一部の新規手順を組み合わせることで、従来手法よりも管理情報取得失敗のリスクを大きく減らすことが出来ることが分かる。
【０１０９】
なお、図５のフローにおいては、例えばＴＤＭＡ１７の記録済み終端ブロックに含まれるＴＤＤＳ３０をもとに、ＴＤＦＬ３１及びＳＲＲＩ３２が取得できた場合には、それで処理を完了するように記載をしたが、この場合であっても、ステップ５０３からステップ５０６に示す最新ＴＤＤＳ３０の取得を多重記録セット分全てに対して実施しても良い。より詳細には、「３）記録手順」において、図４のステップ４０５に記載したように、多重記録分だけＳＲＲＩ記録位置７５及びＴＤＦＬ記録位置７６をメモリ１５０に備えていても良い。この場合、光ディスク１起動後の最初のＴＤＭＳ記録時には、再生時に取得し設定されたＳＲＲＩ記録位置７５及びＴＤＦＬ記録位置７６を元にして記録が実施される可能性もある。そのため、最新多重記録セットに含まれるＴＤＤＳ３０が備えているＳＲＲＩ先頭位置４５及びＴＤＦＬ先頭位置４６については、全てを読み出すように制御しても良い。
【０１１０】
或いは、例えば光ディスク１起動後最初のＴＤＭＳ記録時には、管理情報要素の更新の有無に関わらず、必ず全ての管理情報要素を含んだＴＤＭＳを記録するように制御しても良い。この方法を用いれば、起動時に、最新多重記録セットに含まれる全てのＴＤＤＳ３０の取得を行わなくても良い。
【０１１１】
なお、本発明の実施の形態１においては、ＴＤＭＳの多重記録をＴＤＭＡ１７中に実施する例を示したが、多重記録の専用領域をＴＤＭＡ１７とは別に用意しておき、通常のＴＤＭＡ１７への更新記録とあわせて、多重記録専用領域に同じ内容のデータを冗長記録しても、上記で示したものと同様の効果を得ることが出来ることは言うまでも無い。
【０１１２】
なお、本発明の実施の形態１において図３を用いて説明したメモリ１５０における内部情報の種類や内容などの管理方法についてはあくまで一例であり、これに限定されるものでは無い。
【０１１３】
なお、上述したように、光ディスク記録再生装置１００に不揮発メモリを備えるとした場合、その中に、光ディスク１の識別情報とともに、最新のＴＤＭＳが記録された位置情報を備えておくとより管理情報読み出しにおける信頼性を高めることも可能になる。例えば、光ディスク１に新たな管理情報を記録する際、少なくともＴＤＤＳ記録位置に関する情報を多重記録するＴＤＭＳ個数分記憶するようにする。あわせて、上述のメモリ１５０に備えるＳＲＲＩ記録位置７５やＴＤＦＬ記録位置７６なども記憶しても良い。このようにすれば、上述の図５に示すステップ５０１を省略或いは簡略化できたり、ＴＤＭＡ１７から読み出した管理情報が最新状態のものか否かを正しく判断できるなど、より効率的に管理情報の読み出しが可能になる。
【０１１４】
以上のように、本実施の形態１における情報記録媒体、情報記録方法、情報記録装置、情報再生方法、および、情報再生装置は、主に、下記の構成を有している。
【０１１５】
すなわち、本実施の形態１における情報記録媒体は、エラー訂正の単位であるブロック単位に記録再生を行う追記型情報記録媒体であって、ユーザデータを記録するデータ領域と、情報記録媒体に関する管理情報を過渡的に記録するための一時管理情報領域を備えている。管理情報は、データ領域への記録状態を管理する情報を含む記録管理情報と、追記型情報記録媒体におけるレイアウト情報や記録管理情報に関する位置情報を備えるディスク定義構造を含んでいる。このとき、一時管理領域には、データ領域への記録状態を管理する情報が同一内容の記録管理情報を含む管理情報が連続して複数回追記される。このとき、複数回記録される管理情報のそれぞれに含まれるディスク定義構造に含まれる位置情報は、それぞれの管理情報における記録管理情報が記録されたブロックを示す。
【０１１６】
また、本実施の形態１における情報記録方法は、情報記録媒体の一時管理領域に、データ領域への記録状態を管理する情報が同一内容の記録管理情報を含む管理情報を連続して複数回追記する。このとき、複数回記録される管理情報のそれぞれに含まれるディスク定義構造に含まれる位置情報は、それぞれの管理情報における記録管理情報が記録されたブロックを示す。
【０１１７】
また、本実施の形態１における情報記録装置は、管理情報の記録を行う管理情報記録部を備えている。このとき、管理情報記録部は、情報記録媒体の一時管理領域に、データ領域への記録状態を管理する情報が同一内容の記録管理情報を含む管理情報を連続して複数回追記する。このとき、複数回追記される管理情報のそれぞれに含まれるディスク定義構造に含まれる位置情報は、それぞれの管理情報における記録管理情報が記録されたブロックを示す。
【０１１８】
また、本実施の形態１における情報再生方法は、一時管理領域に、データ領域への記録状態を管理する情報が同一内容の記録管理情報を含む管理情報が連続して複数回追記されている情報記録媒体に対して、最新の管理情報の取得を行う場合に、一時管理情報領域の記録済み終端位置に配置された管理情報を取得するステップ（ａ）と、少なくとも、ステップ（ａ）で管理情報の取得に失敗した場合に、複数回記録された管理情報のうち、記録済み終端位置に配置された管理情報とは異なる他の管理情報を取得するステップ（ｂ）とを備える。
【０１１９】
また、本実施の形態１における情報再生装置は、管理情報の取得を行う管理情報再生部を備えている。このとに、管理情報再生部は、一時管理領域に、データ領域への記録状態を管理する情報が同一内容の記録管理情報を含む管理情報が連続して複数回追記されている情報記録媒体に対して、一時管理情報領域の記録済み終端位置に配置された管理情報を取得するとともに、少なくとも、記録済み終端位置に配置された管理情報の取得に失敗した場合に、複数回記録された管理情報のうち、記録済み終端位置に配置された管理情報とは異なる他の管理情報を取得する。
【０１２０】
以上の情報記録媒体、情報記録方法、および、情報記録装置であれば、最新の管理情報取得失敗により光ディスクが記録不可状態に陥るリスクを低減することが可能になる。
【０１２１】
また、以上の情報再生方法、および、情報再生装置であれば、管理情報取得失敗のリスク（再生時のデータ化け発生や、最悪の場合には再生不可状態に陥るリスク）を減らすことが出来る。
【０１２２】
このように、本実施の形態１の構成によれば、追記型情報記録媒体の記録再生のために必要な最新の管理情報を、より信頼性を高めた形で冗長記録できる。言い換えれば、最新の管理情報の取得に失敗したような場合でも、多重記録された別の管理情報を取得可能となるため、継続して当該追記型情報記録媒体に対して記録再生を行うことが出来る。これにより、使用中の情報記録媒体が後発的な欠陥（指紋や埃、傷など）に侵された場合でも、その情報記録媒体を確実に、かつ即座に記録再生できる状態に出来る可能性を高めることが出来る。
【０１２３】
（実施の形態２）
本発明の実施の形態２では、複数台の光ディスク記録再生装置１００（詳細は後述する）と複数の追記型の光ディスク１によって実現可能な、管理情報の多重記録方法について述べる。
【０１２４】
本発明の実施の形態２における追記型光ディスクの、ある記録層における領域構造は、図２０を用いて説明した従来の追記型光ディスクのものと同じであるため、ここでの詳細な説明は省略する。
【０１２５】
１）記録再生装置（システム）
まず始めに、本発明の実施の形態２におけるシステム構成のモデルケースについて簡単に説明する。
【０１２６】
図８は、本発明の実施の形態２における光ディスクアレイシステム２００のシステム構成の例である。
【０１２７】
光ディスクアレイシステム２００は、システム制御を行うコントローラ２１０と、各種情報の退避保存やバッファ的な役割を果たすＤＲＡＭのようなメモリ２２０と、コントローラ２１０によって制御される複数台の光ディスクドライブ２３０（この図の場合は４台）を備える。
【０１２８】
コントローラ２１０はさらに、複数台の光ディスクドライブをＲＡＩＤとして制御するためのＲＡＩＤ制御部２１１と、光ディスクドライブ２３０に装着されている光ディスク１の管理情報の記録を制御する管理情報記録制御部２１２と、光ディスクドライブ２３０に装着されている光ディスク１の管理情報を最新状態に更新する管理情報更新部２１３と、各光ディスクドライブ２３０とメモリ２２０との間での管理情報の転送制御を行う管理情報ＩＯ制御部２１４と、ある光ディスクドライブ２３０に装着されている光ディスク１の最新の管理情報を取得したり、取得に失敗した場合に最新の管理情報の修復を制御する管理情報取得制御部２１５と、を備える。
【０１２９】
光ディスクドライブ２３０は、本発明の実施の形態１で説明した光ディスク記録再生装置１００と基本的に同じ構成であり、ここでの詳細な説明は省略する。
【０１３０】
複数台の光ディスク記録再生装置１００にそれぞれ装着された光ディスク１は、コントローラ２１０におけるＲＡＩＤ制御部２１１によって、例えばＲＡＩＤ５として管理されているものとする。
【０１３１】
なお、光ディスクドライブ２３０は、例えば複数枚の光ディスク１を備えたマガジンカートリッジを着脱可能なマガジンドライブ、或いは複数枚の光ディスク１を挿入可能なマガジンスロットドライブなどであっても良く、それぞれの光ディスクドライブ２３０には同時に複数枚の光ディスク１を含んでいても良い。
【０１３２】
なお、この図においては、ＤＲＡＭのようなメモリ２２０を備えると記載したが、このメモリ２２０はＳＳＤのような不揮発メモリであると更に冗長性を高めることが可能になる。具体的には、各光ディスクドライブ２３０に装着されている各光ディスク１における最新の管理情報を退避保存しておくことで、管理情報の冗長性が高く出来る。更にＤＲＡＭよりも大容量化が可能であるため、より多くの情報を退避保存できることに加えて、バッファとして利用することで、光ディスクドライブ２３０に対する記録再生パフォーマンスを向上させることも可能になる。
【０１３３】
２）記録方法
図１０は、本発明の実施の形態２における光ディスクアレイシステムにおいて、アレイを構成するそれぞれの光ディスク１のＴＤＭＡ１７に管理情報を記録する場合の記録方法を示す図である。例えば、アレイを構成する４台の光ディスクドライブ２３０に装着された４枚の光ディスク１（光ディスク（Ａ）、光ディスク（Ｂ）、光ディスク（Ｃ）および光ディスク（Ｄ））でＲＡＩＤ５を構成しているものとする。ここで、それぞれの光ディスク１におけるユーザデータ領域１４のサイズ、並びにスペア領域であるＩＳＡ１５、ＯＳＡ１６のサイズは４枚の光ディスク１とも同じであるとする。言い換えると、各光ディスク１に記録されるＴＤＤＳ３０に含まれる論理セクタ番号０位置４１や最終論理セクタ番号４２やＩＳＡサイズ４３やＯＳＡサイズ４４は同じであるとする。
【０１３４】
この方法の特徴は、それぞれの光ディスク１における管理情報（ＴＤＭＳ）を、自らのＴＤＭＡ１７中に記録するのはもちろん、ディスクアレイ（ＲＡＩＤ）を構成する関連する光ディスク１のＴＤＭＡ１７中にも分散して多重記録する点にある。多重記録する光ディスク１は組み合わせてＲＡＩＤを構成するため、基本的に同時に使用されることが保証される。その中で、異なる光ディスク１上に情報を散在させることで、同一の光ディスク１中で多重記録する場合と比べて、同時に汚れや傷などに侵されるリスクを減らすことが出来るため、より信頼性を増すことが出来る。
【０１３５】
図１０の（１）ＴＤＭＳ初回記録時に示すように、イニシャライズ時はそれぞれの光ディスク１のＴＤＭＡ１７に対して、それぞれのＴＤＭＳを従来の手法と同様に記録する。上述した通り、ＲＡＩＤ５を構成する４枚の光ディスク１のユーザデータ領域１４、ＩＳＡ１５、ＯＳＡ１６のサイズとも同じでＴＤＤＳ３０の内容も位置情報を除いて同じであり、またＴＤＦＬ３１やＳＲＲＩ３２などの記録管理情報も記録開始前の初期状態のため同じであるため、イニシャライズ時に記録されるＴＤＭＳは、全ての光ディスク１で同じ内容になる。言い換えると、従来通りにＴＤＭＡ１７にＴＤＭＳを記録することで、既に多重記録がなされたのと同じ効果があるといえるため、後述のような多重記録をあえて行わなくても良い。
【０１３６】
一方、図１０の（２）ＴＤＭＳ更新記録時に示すように、光ディスク１に対してユーザデータの記録が実施され、それぞれの光ディスク１における各管理情報要素が更新された場合を考える。この場合、それぞれの光ディスク１のＴＤＭＡ１７には、当該光ディスク１の最新の管理情報（つまり第１管理情報）に加えて、関連する別の光ディスク１の最新の管理情報（つまり第２管理情報）を予備的にあわせて多重記録する。
【０１３７】
例えば、記録する光ディスク（Ａ）の最新ＴＤＭＳがＡ（１）、記録する光ディスク（Ｂ）の最新ＴＤＭＳがＢ（１）、記録する光ディスク（Ｃ）の最新ＴＤＭＳがＣ（１）、記録する光ディスク（Ｄ）の最新ＴＤＭＳがＤ（１）であるとする。最新ＴＤＭＳに含まれる管理情報要素の内容については、図１０においては特に意識しないこととする。この場合、Ａ（１）は自らのＴＤＭＡである光ディスク（Ａ）のＴＤＭＡ１７と、ＲＡＩＤ構成上隣接する光ディスク（Ｂ）のＴＤＭＡ１７の２箇所に多重記録される。同様にＢ（１）は光ディスク（Ｂ）、（Ｃ）のＴＤＭＡ１７に、Ｃ（１）は光ディスク（Ｃ）、（Ｄ）のＴＤＭＡ１７に、Ｄ（１）は光ディスク（Ｄ）、（Ａ）のＴＤＭＡ１７にそれぞれ多重記録される。
【０１３８】
ここで、多重記録の際には、自身の最新ＴＤＭＳを必ずＴＤＭＡ１７の記録済み終端位置に配置するように記録する。具体的には、例えば光ディスク（Ａ）のＴＤＭＡ１７にはＡ（１）、Ｄ（１）が記録されることになるが、先にＤ（１）が記録され、記録済み終端位置には光ディスク（Ａ）の最新ＴＤＭＳであるＡ（１）が配置されるように記録する。これにより、通常は、従来の追記型光ディスク１と同様に、ＴＤＭＡ１７の記録済み終端位置に配置される最新の管理情報を所得することで、ディスクアレイ（ＲＡＩＤ）を構成する全ての光ディスク１の最新の管理情報の取得が可能になる。これは言い換えれば、従来の一般的な光ディスク記録再生装置１００を用いても、従来と同等の信頼性を保ちつつ、かつ当該光ディスク１を正しく再生出来るという効果を得ることが出来る。つまり、予備的に記録される第２管理情報よりも、常時必要とされる第１管理情報の取得を効率的に実施できるようにすることが出来る。
【０１３９】
ここで、図１０（２）では管理情報を異なる光ディスク１の合計２箇所に多重記録する例を示したが、この例の場合は、ＴＤＭＡ１７に対してＲＡＩＤ５と同様のデータ消失防止効果を持つことが出来る。具体的には、仮に４枚中の１枚の光ディスク１におけるＴＤＭＡ１７の読み出しが何らかの理由で失敗したとしても、残り３枚の光ディスク１から最新の管理情報を復旧することが可能である。言い換えると、この例では、４枚中２枚以上の光ディスク１におけるＴＤＭＡ１７の読み出しに失敗した場合には、最新の管理情報を復旧することは出来ない。なお、この冗長度のレベルは、多重記録箇所を増やすことで上げることが出来る。例えば、異なる光ディスク１の合計３箇所に多重記録する方法を採用すれば、ＲＡＩＤ６と同じデータ消失防止効果を持つ。
【０１４０】
なお図１０では、最新の管理情報を自身のＴＤＭＡ１７に加えて、ディスクアレイ（ＲＡＩＤ）の構成上隣接する光ディスク１のＴＤＭＡ１７に記録されるような例を示したが、多重記録方法はこれに限るものでは無い。具体的には、ある光ディスク１の最新の管理情報が自身のＴＤＭＡ１７の記録済み終端位置に記録されること、並びに１枚以上の関連する他の光ディスク１のＴＤＭＡ１７に記録されることを満たす限りにおいて、後の記録方法はある所定の規則に則って実施される限り任意である。極端に言えば、ＲＡＩＤを構成する全ての光ディスク１の最新ＴＤＭＳが、全ての光ディスク１のＴＤＭＡ１７に記録されても良い。具体的には、光ディスク（Ａ）のＴＤＭＡ１７には、第１管理情報として光ディスク（Ａ）の最新の管理情報を、第２管理情報として光ディスク（Ｂ）、（Ｃ）、（Ｄ）それぞれの最新の管理情報が記録されても良い。
【０１４１】
なお、管理情報記録は、図１０（１）に示したＴＤＭＳ初回記録（イニシャライズ）時を除いて、必ずこの所定の規則に則って実施するが、当然イニシャライズ時にも図１０（２）に示したように所定の規則に則って多重記録を行っても良い。
【０１４２】
なお図１０では、ＲＡＩＤを構成する全ての光ディスク１において管理情報が更新され、最新ＴＤＭＳを更新記録する場合を例に説明したが、用途によってはある特定の光ディスク１のＴＤＭＳのみが更新記録される場合もありうる。具体的には、例えば光ディスクアレイシステム２００の各光ディスクドライブ２３０は、装着された光ディスク１の記録済みデータの劣化検出機能を備え、劣化を検出した場合には、データが読み出せなくなる前に交替記録や、スペアの光ディスク１へのデータコピーなどが実施されるとする。この際、例えば光ディスクドライブ２３０（Ｎｏ．１）が光ディスク（Ａ）の記録済みデータ劣化検出処理中に、ある領域（またはブロック３）において部分的な劣化が検出され、当該光ディスク１中のスペア領域（ＩＳＡ１５かＯＳＡ１６）への交替記録が実施され、ＴＤＦＬ３１が更新されたとする。
【０１４３】
図１１は、図１０（２）の状態から、ディスクアレイ（ＲＡＩＤ）を構成する光ディスク（Ａ）の管理情報のみが更新され、更新記録を実施した場合の状態を示す説明図である。図中の濃い色で示したＴＤＭＳが、その時点での最新ＴＤＭＳを示す。最新ＴＤＭＳに含まれる管理情報要素の内容については、図１１においても特に意識しないこととする。
【０１４４】
初期状態として、ディスクアレイ（ＲＡＩＤ）を構成する各光ディスク１の更新前の最新ＴＤＭＳがそれぞれＡ（１）、Ｂ（１）、Ｃ（１）、Ｄ（１）であったとする。この状態から、光ディスク（Ａ）の管理情報だけが更新され、光ディスク（Ａ）の最新のＴＤＭＳがＡ（２）になったとする。この場合、更新記録する必要があるＴＤＭＳはＡ（２）だけであるため、図１０の場合のようにディスクアレイ（ＲＡＩＤ）を構成する全ての光ディスク１のＴＤＭＡ１７に対してＴＤＭＳ記録を行うのは、無駄にＴＤＭＡ１７を消費することになり好ましくない。そのためこの場合には、光ディスク（Ａ）の管理情報の記録を行う光ディスク（Ａ）並びに光ディスク（Ｂ）のＴＤＭＡ１７に対してのみ記録が実施される。より具体的には、光ディスク（Ａ）のＴＤＭＡ１７には、光ディスク（Ａ）の最新ＴＤＭＳに加えて、関連する光ディスク１である光ディスク（Ｄ）の最新ＴＤＭＳが記録される。また光ディスク（Ｂ）のＴＤＭＡ１７には、光ディスク（Ｂ）の最新ＴＤＭＳに加えて、関連する光ディスク１である光ディスク（Ａ）の最新ＴＤＭＳが記録される。
【０１４５】
そのため図１１の（２）に示すように、光ディスク（Ａ）のＴＤＭＡ１７には、その時点での光ディスク（Ａ）および光ディスク（Ｄ）の最新のＴＤＭＳであるＡ（２）およびＤ（１）が組み合わされ、記録済み終端位置にＡ（２）が配置されるように記録される。またＲＡＩＤ構成上隣接する光ディスク（Ｂ）のＴＤＭＡ１７には、その時点での光ディスク（Ａ）および光ディスク（Ｂ）の最新のＴＤＭＳであるＡ（２）およびＢ（１）が組み合わされ、記録済み終端位置にＢ（１）が配置されるように記録される。
【０１４６】
なお、管理情報としては更新されていないが、記録されるＴＤＭＳ（具体的には、図１１の（２）の場合には、光ディスク（Ａ）に記録されるＤ（１）並びに光ディスク（Ｂ）に記録されるＢ（１））については、前回その光ディスク１のＴＤＭＡ１７に記録されたＴＤＭＳと全く同じ構成で記録しても良いし、或いは少なくともＴＤＤＳ３０だけを記録するという方法を採用しても良い。より詳細に言えば、更新されていない管理情報要素は改めて記録しなおさなくても良い。その考え方を適用し、管理情報としては更新されていないが、記録されるＴＤＭＳに含まれる管理情報要素としては、以前記録した最新の管理情報要素の位置を指し示すＴＤＤＳ３０が最低限記録されれば良いことになる。
【０１４７】
なお、更新記録が不要な光ディスク（Ｃ）および光ディスク（Ｄ）のＴＤＭＡ１７に対しては、更新記録は実施されず前の状態のままとすることが出来る。つまり、ＴＤＭＡ１７の消費量を無駄に浪費しないで済む。
【０１４８】
図１２は、ＲＡＩＤを構成する光ディスク１のＴＤＭＡ１７に記録されるＴＤＭＳの記録方法について、管理情報要素の単位で示した説明図である。ここでは、ＲＡＩＤ５を構成する４枚の光ディスク１のうち、光ディスク（Ａ）を例に取って説明する。
【０１４９】
前述したように、いずれかの管理情報要素に変化が生じてＴＤＭＡ１７に新たなＴＤＭＳを記録する場合、変化していない管理情報要素については記録せず、ＴＤＤＳ３０に備えられる記録位置情報を前回記録された位置を指すようにしても良い。つまり、ＴＤＭＳの記録のやり方としては、以下の２パターンいずれの方法が考えられる。
【０１５０】
１つ目は、更新された管理情報、更新されていない管理情報含めて必ずＴＤＭＳを構成する全ての管理情報要素をＴＤＭＳ記録のたびに毎回記録するというやり方であり、図１２の（パターン１）に相当する。この場合、光ディスク（Ａ）のＴＤＭＡ１７に記録される最新の管理情報のうち、光ディスク（Ｄ）のＴＤＭＳに含まれるＴＤＤＳ３０が備えるＳＲＲＩ位置情報４５、ＴＤＦＬ位置情報４６はそれぞれ、一緒に記録したＤ（２）内のＳＲＲＩ３２（Ｄ）＃２、ＴＤＦＬ３１（Ｄ）＃２の位置を指すように記録され、光ディスク（Ａ）のＴＤＭＳに含まれるＴＤＤＳ３０が備えるＳＲＲＩ位置情報４５、ＴＤＦＬ位置情報４６はそれぞれ、一緒に記録したＡ（２）内のＳＲＲＩ３２（Ａ）＃２、ＴＤＦＬ３１（Ａ）＃２の位置を指すように記録される。
【０１５１】
２つ目は、更新必要な管理情報要素のみ更新記録するというやり方であり、図１２（パターン２）に相当する。例えば光ディスク（Ａ）の管理情報要素としては、ＳＲＲＩ３２、ＴＤＦＬ３１ともに変化し、ＴＤＤＳ３０含めて全ての管理情報要素の更新記録が必要だが、光ディスク（Ｄ）の管理情報要素としては、ＴＤＦＬ３１は変化が生じなかったため、ＳＲＲＩ３１とＴＤＤＳ３０のみ更新記録が必要という場合を想定する。この場合、光ディスク（Ａ）のＴＤＭＳであるＡ（２）は、先に述べた（パターン１）の場合と同様に記録される。一方で光ディスク（Ｄ）のＴＤＭＳであるＤ（２）に含まれるＴＤＤＳ３０としては、ＳＲＲＩ先頭位置４５はＤ（２）として一緒に記録するＳＲＲＩ３２（Ｄ）＃２の位置を指すが、ＴＤＦＬ先頭位置４６は、先に光ディスク（Ｄ）の管理情報として記録されたＴＤＭＳであるＤ（１）に含まれるＴＤＦＬ３１（Ｄ）＃１の位置を指すように記録される。
【０１５２】
この方法で注意しなければならないのは、新たなＴＤＭＳ更新前の光ディスク（Ａ）において直近で記録されたＴＤＭＳはＡ（１）であるが、この位置情報だけを管理しておくのでは不十分であるという点である。具体的には、光ディスク（Ａ）のＴＤＭＡ１７における管理情報更新を行うためには、Ａ（１）だけでなく、Ｄ（１）が記録された位置情報についてもあわせて管理しておかなければならない。そこで、例えば、図９に示すような形で、コントローラ２１０が管理する内部情報をメモリ２２０内に備える。具体的には、管理情報要素記録位置８１によって最新ＴＤＭＳを構成する各管理情報要素の記録位置を、管理情報要素更新要求フラグ８２によってディスクアレイ（ＲＡＩＤ）を構成する全ての光ディスク１ごとに、更新記録が必要な管理情報要素を管理する。例えば、各光ディスク１の管理情報が２箇所に多重記録される図１０に示した例の場合で考えて見る。この場合は、管理情報要素記録位置８１として、光ディスク（Ａ）、（Ｂ）、（Ｃ）、（Ｄ）それぞれについて、その光ディスク１に記録される管理情報の数分だけ（例えば光ディスク（Ａ）の場合には、光ディスク（Ｄ）の管理情報と光ディスク（Ａ）の管理情報の２組分）に対して、それぞれＴＤＤＳ３０、ＴＤＦＬ３１、ＳＲＲＩ３２の最新情報が記録された位置情報を管理しておく。なお、この管理情報要素記録位置８１の詳細な使い方や更新方法については、後述する。
【０１５３】
このような記録方法を採用することで得られる効果について説明する。それぞれの管理情報が多重記録される光ディスク（Ａ）、（Ｂ）、（Ｃ）、（Ｄ）はディスクアレイとして例えばＲＡＩＤ５を構成しているため、いずれかの光ディスク１に対してユーザデータの記録再生を行う場合には必ず同時に光ディスクドライブ２３０にセットされて使用される。つまり、ある光ディスク１の管理情報を異なる光ディスク１のＴＤＭＡ１７に配置していても、同時に使用可能な状態が保証されるため、管理情報更新や管理情報取得の際のパフォーマンスは、従来の方法と比べてもほとんど影響が無いレベルに抑えることが出来る。その上、ある光ディスク１における管理情報を異なる光ディスク１のＴＤＭＡ１７に多重記録するため、同一の光ディスク１において多重記録しておく場合と比べて、より信頼性を高めた冗長記録が可能になる。つまり従来の管理情報記録方法と比べて、光ディスク１の最新の管理情報が読み出せる可能性を高めることが可能であり、ある光ディスク１が最新の管理情報取得失敗により記録不可状態（Ｗｒｉｔｅ  Ｐｒｏｔｅｃｔ）、或いは再生時のデータ化け発生状態に陥るリスクを低減することが可能になる。また最悪の場合は、以前記録された管理情報取得にも失敗した場合には再生不可状態になってしまうが、同一内容の最新の管理情報を異なる光ディスク１も含めて多重記録しておくことで、再生不可状態に陥るリスクも低減することが可能になる。
【０１５４】
さらに、この記録方法を用いることで、ユーザデータ領域１４に対してしかＲＡＩＤ５によって信頼性を高めることしか出来なかった光ディスクアレイシステムにおいて、管理情報領域に対してもＲＡＩＤ５と同等レベルの冗長性・信頼性を持ったアレイシステムを提供することが可能になる。
【０１５５】
さらに、ディスクアレイ（ＲＡＩＤ）を構成する複数の光ディスク１を用いて冗長性を高めた管理情報の記録を行いつつも、各光ディスク１のＴＤＭＡ１７の記録済み終端位置には当該光ディスク１の最新の管理情報を配置しているため、その光ディスク１を本発明の実施の形態２に記載の方法に対応していない従来の記録再生装置において最新の管理情報を読み出すことも可能である。
【０１５６】
また、冗長性を高める方法としては、光ディスクアレイシステム２００に不揮発メモリを備えて、管理情報記録の際にそこにも最新の管理情報を退避しておくといった方法も採用できる。しかしこの方法だけを用いた場合には、ディスクアレイ（ＲＡＩＤ）を構成する複数の光ディスク１の冗長性を高めることが出来るのは当該不揮発メモリを備えた光ディスクアレイシステム２００だけということになり、他の光ディスクアレイシステム２００にディスクアレイ（ＲＡＩＤ）を構成する複数の光ディスク１を装着した場合などには、冗長性を従来の場合と変わらないことになる。しかし、本発明の実施の形態２に示すような形で管理情報の多重記録を行うことで、ディスクアレイ（ＲＡＩＤ）を構成する複数の光ディスク１を記録した光ディスクアレイシステム２００以外の装置でこれらの光ディスク１を使用する場合であっても、同様の冗長性を確保することが出来る。
【０１５７】
３）記録（最新の管理情報記録）手順
図１３は、光ディスクアレイシステム２００がディスクアレイ（ＲＡＩＤ）を構成する光ディスク１に対して新たに管理情報を更新記録する場合の手順を示すフロー図である。ここでは、上述の図１２（パターン２）に示した、更新必要な管理情報要素のみ更新記録する方法で実施する場合を例に取って説明する。
【０１５８】
なお、管理情報の更新記録必要性を管理するため、図９に示すように、メモリ２２０に管理情報要素更新要求フラグ８２を設けておき、初期状態として最初の記録が開始される前（つまり、光ディスクアレイシステム２００として記録が可能となった時点）に管理情報要素更新要求フラグ８２はＦＡＬＳＥ（更新不要）状態に設定しておく。なお、本発明の実施の形態２においては、管理情報要素更新要求フラグ８２は２状態（ＴＲＵＥ：更新必要か、ＦＡＬＳＥ：更新不要）を示す情報として説明するが、例えば更新必要状態をさらに詳細な状態に分けて、例えば即時更新必要、適宜更新必要、更新不要といった状態管理を行っても良い。
【０１５９】
ステップ１３０１：以下のステップ１３０２を、システムを構成する全ての光ディスクドライブ２３０に装着された光ディスク１に対して実施する。例えば図８のようなシステム構成の場合には、４回繰り返す。
【０１６０】
ステップ１３０２：記録が必要な管理情報を取得する。具体的にはコントローラ２１０における管理情報ＩＯ制御部２１４は、所定のタイミングで、光ディスクドライブ２３０に装着された光ディスク１の管理情報のうち、更新記録が必要な管理情報を取得する。取得した管理情報は、ディスクアレイ（ＲＡＩＤ）を構成する光ディスク１毎にメモリ２２０中の管理情報退避領域８３に格納され、管理される。また同時に、更新が必要として取得した管理情報（管理情報要素）に該当するメモリ２２０中の管理情報要素更新要求フラグ８２をＴＲＵＥ（更新必要）状態に設定する。
【０１６１】
ここで所定のタイミングとは、例えば、光ディスクアレイシステム２００においてディスクアレイ（ＲＡＩＤ）を構成する光ディスク１に対して一定量以上のデータ記録が実施された場合である。より詳細には、コントローラ２１０は、ＲＡＩＤ制御部２１１によってシステムを構成する光ディスク１にどの程度の記録が実施されたかを把握している。記録が実施されれば少なくともＳＲＲＩ３２（に含まれるＳＲＲ最終記録位置６６）は更新される。そこで例えば、ＳＲＲＩ３２（に含まれるＳＲＲ最終記録位置６６）が前回の管理情報記録のタイミングから一定量以上変化した場合を更新のタイミングと考え、光ディスクアレイシステム２００においてディスクアレイ（ＲＡＩＤ）を構成する光ディスク１に対して一定量異常のデータ記録が実施された場合に、それぞれの光ディスクドライブ２３０に装着された光ディスク１における最新状態の管理情報を取得する。
【０１６２】
なお、所定のタイミングとはこれに限るものではない。例えば、前回管理情報を取得したタイミングから一定時間経過した場合や、光ディスク１を光ディスクドライブ２３０から排出（Ｅｊｅｃｔ）する場合や、あるいは光ディスクドライブ２３０からコントローラ２１０に対して、管理情報の更新が必要であると通知があった場合などであっても良い。
【０１６３】
ステップ１３０３：上述したステップ１３０２を、システムを構成する全ての光ディスクドライブ２３０に装着された光ディスク１に対して実施する。例えば図８のようなシステム構成の場合には、４回繰り返す。
【０１６４】
なお、上述したステップ１３０１からステップ１３０３までの処理は、必ずしも後述のステップ１３０４以降の処理と連続的に実施されなくても良い。より具体的には、例えばステップ１３０１からステップ１３０３は上述した所定のタイミングにおいて実施されるのに対して、後述のステップ１３０４以降の処理は、前述したステップ１３０１からステップ１３０３において管理情報の更新記録が必要とコントローラ２１０が判断した場合にのみ実施するという手順であっても良い。
【０１６５】
ステップ１３０４：以下のステップ１３０５からステップ１３０６を、ディスクアレイ（ＲＡＩＤ）を構成する全ての光ディスク１に対して実施する。例えば図８のようなＲＡＩＤ構成の場合には、４回繰り返す。
【０１６６】
ステップ１３０５：管理情報の更新記録が必要か否かを判断する。具体的には、コントローラ２１０における管理情報記録制御部２１２は、ディスクアレイ（ＲＡＩＤ）を構成する光ディスク１ごとに、管理情報を新たに更新記録する必要があるか否かを判断する。より詳細には、例えば、メモリ２２０に備える管理情報要素更新要求フラグ８２のうち、該当する光ディスク１の情報がＴＲＵＥ（更新必要）と設定されているか否かを判断する。そして、更新記録が必要と判断した場合は、ステップ１３０６へ進む。更新記録が不要と判断した場合には、ステップ１３０６をスキップしてステップ１３０７へ進む。
【０１６７】
ステップ１３０６：更新が必要な管理情報要素の更新回数情報を１つインクリメントする。具体的には、光ディスクアレイシステム２００における管理情報更新部２１３は、メモリ２２０に格納されたディスクアレイ（ＲＡＩＤ）を構成する光ディスク１毎の管理情報に含まれる管理情報要素のうち、更新記録が必要な管理情報要素の更新回数情報（例えばＳＲＲＩ３２の場合は、第１ＳＲＲＩ更新回数６４および第２ＳＲＲＩ更新回数６８）を１インクリメントする。
【０１６８】
なお、このステップ１３０６は、例えば後述のステップ１３０８とステップ１３０９の間で実施されても良い。
【０１６９】
なお、このステップ１３０６において、更新が必要と判断された光ディスク１の管理情報要素の更新回数情報を１つインクリメントするのに加えて、更新は不要だが、更新が必要と判断された管理情報と組み合わせて記録される光ディスク１の管理情報についても、更新回数情報を１つインクリメントしても良い。
【０１７０】
ステップ１３０７：以上のステップ１３０５からステップ１３０６を、ディスクアレイ（ＲＡＩＤ）を構成する全ての光ディスク１に対して実施する。例えば図８のようなＲＡＩＤ構成の場合には、４回繰り返す。
【０１７１】
ステップ１３０８：ディスクアレイ（ＲＡＩＤ）を構成する光ディスク１において、管理情報の更新記録が必要な光ディスク１が存在するか否かを判断する。具体的には、コントローラ２１０は、ステップ１３０５において管理情報記録制御部２１２によって実施した、管理情報を新たに更新記録する必要がある光ディスク１の有無判定結果に基づき、更新記録が必要な光ディスク１が１枚でも存在するか否かを判断する。より詳細には、例えば、メモリ２２０に備える管理情報要素更新要求フラグ８２において、ＴＲＵＥ（更新必要）と設定されている光ディスク１が存在するか否かを判断する。そして、更新が必要な光ディスク１が存在する場合にはステップ１３０９へ進む。存在しない場合は、以降の処理をスキップして処理を終了する。
【０１７２】
ステップ１３０９：以下のステップ１３１０からステップ１３１３を、ディスクアレイ（ＲＡＩＤ）を構成する光ディスク１のうち、ステップ１３０５において管理情報を新たに更新記録する必要があると判断された光ディスク１（または、光ディスク１に記録再生を行う光ディスクドライブ２３０）に対して実施する。例えば、光ディスク（Ａ）から光ディスク（Ｄ）の４枚全ての光ディスク１において管理情報の更新記録が必要な場合には、処理を４回繰り返す。
【０１７３】
ステップ１３１０：光ディスク１に更新記録するＴＤＭＳを生成する。具体的には、コントローラ２１０は、当該光ディスク１に更新記録する関連する光ディスク１の管理情報要素、並びに自らのディスクの管理情報要素をメモリ２２０における管理情報退避領域８３から取得してＴＤＭＳを生成し、光ディスクドライブ２３０に対して転送可能な状態（例えば、転送バッファにコピーした状態）にする。更にコントローラ２１０における管理情報更新管理部２１３は、転送データの中に含まれるＴＤＤＳ３０中のＳＲＲＩ先頭位置４５並びにＴＤＦＬ先頭位置４６のうち、実際に更新記録されない管理情報要素の位置情報（例えば更新記録される管理情報要素がＳＲＲＩ３２とＴＤＤＳ３０のみの場合は、ＴＤＦＬ先頭位置４６）を、メモリ２２０に備える管理情報要素記録位置８１を用いて、当該光ディスク１において最新の管理情報要素が記録された位置に更新する。
【０１７４】
なお、第１管理情報である自らの光ディスク１のＴＤＭＳにおけるＴＤＤＳ３０の記録装置関連情報４７には、その光ディスク１に対して記録する光ディスクドライブ２３０に関する情報を設定する。一方、第２管理情報である関連する光ディスク１のＴＤＭＳにおけるＴＤＤＳ３０の記録装置関連情報４７には、その管理情報を第１管理情報として記録する光ディスクドライブ２３０に関する情報を設定する。より詳細には、例えば図１０（２）を例にとると、光ディスク（Ａ）のＴＤＭＡ１７に記録される管理情報のうち、Ａ（１）に含まれるＴＤＤＳ３０の記録装置関連情報４７には、光ディスクドライブ２３０（Ｎｏ．１）の装置に関する情報（例えばドライブのシリアルナンバー）を、Ｄ（１）に含まれるＴＤＤＳ３０の記録装置関連情報４７には、光ディスクドライブ２３０（Ｎｏ．４）の装置に関する情報（例えばドライブのシリアルナンバー）を、それぞれ設定する。こうすることで、後述する４）再生手順の処理において、光ディスク１のＴＤＭＡ１７に記録されているＴＤＭＳが、どの光ディスク１に関するＴＤＭＳなのかを把握するのに使用することが可能になる。
【０１７５】
ステップ１３１１：関連する光ディスクのＴＤＭＳを光ディスクドライブ２３０へ転送し、記録する。具体的には、コントローラ２１０における管理情報ＩＯ制御部２１４は、ステップ１３１０で生成された関連する光ディスク１（例えば図１０の例において、光ディスク（Ａ）への管理情報記録の場合には、光ディスク（Ｄ）の最新管理情報）のＴＤＭＳデータを光ディスクドライブ２３０（例えば、光ディスク（Ａ）への記録の場合には、光ディスクドライブ２３０（Ｎｏ．１））に対して送信する。そしてコントローラ２１０は、光ディスクドライブ２３０に対して、送信したデータをＴＤＭＡ１７に記録するよう要求する。
【０１７６】
管理情報データを受け付けた光ディスクドライブ２３０は、装着された光ディスク１における次に記録可能なＴＤＭＡ１７の位置（例えば、メモリ１５０に含まれるＴＤＭＡ記録開始位置７０が示す位置）から、受領した管理情報を記録する。なお、光ディスクドライブ２３０がＴＤＭＡ１７に記録を行う場合には、受領した管理情報データのうちのＴＤＤＳ３０に含まれるＳＲＲＩ先頭位置４５並びにＴＤＦＬ先頭位置４６のうち、実際に更新記録される管理情報要素の位置情報（例えば更新記録される管理情報要素がＳＲＲＩ３２とＴＤＤＳ３０のみの場合は、ＳＲＲＩ先頭位置４５）を、記録位置に応じて更新してから記録する。このようにするのは、記録しようとしたＴＤＭＡ１７のブロックが欠陥に侵されていて後続のブロックに記録し直す場合があり、これらについては、上位層のコントローラ２１０よりも光ディスクドライブ２３０において管理される方が好ましいためである。
【０１７７】
ステップ１３１２：自らの光ディスク１のＴＤＭＳを光ディスクドライブ２３０へ転送し、記録する。具体的には、コントローラ２１０における管理情報ＩＯ制御部２１４は、ステップ１３１０で生成された関連する光ディスク１（例えば図１０の例において、光ディスク（Ａ）への管理情報記録の場合には、光ディスク（Ａ）の最新管理情報）のＴＤＭＳデータを光ディスクドライブ２３０（例えば、光ディスク（Ａ）への記録の場合には、光ディスクドライブ２３０（Ｎｏ．１））に対して送信する。そしてコントローラ２１０は、光ディスクドライブ２３０に対して、送信したデータをＴＤＭＡ１７に記録するよう要求する。
【０１７８】
管理情報データを受け付けた光ディスクドライブ２３０は、装着された光ディスク１における次に記録可能なＴＤＭＡ１７の位置（例えば、メモリ１５０に含まれるＴＤＭＡ記録開始位置７０が示す位置）から、受領した管理情報を記録する。なお、光ディスクドライブ２３０がＴＤＭＡ１７に記録を行う場合には、受領した管理情報データのうちのＴＤＤＳ３０に含まれるＳＲＲＩ先頭位置４５並びにＴＤＦＬ先頭位置４６のうち、実際に更新記録される管理情報要素の位置情報（例えば更新記録される管理情報要素がＳＲＲＩ３２とＴＤＤＳ３０のみの場合は、ＳＲＲＩ先頭位置４５）を、記録位置に応じて更新してから記録する。このようにするのは、記録しようとしたＴＤＭＡ１７のブロックが欠陥に侵されていて後続のブロックに記録し直す場合があり、これらについては、上位層のコントローラ２１０よりも光ディスクドライブ２３０において管理される方が好ましいためである。
【０１７９】
ステップ１３１３：光ディスク１に記録した最新の管理情報を取得する。具体的には、コントローラ２１０における管理情報ＩＯ制御部２１４は、ステップ１３１１及びステップ１３１２で光ディスク１に記録された最新のＴＤＭＳを取得する。そして、自らの光ディスク１における最新のＴＤＭＳについては、その内容をそのままメモリ２２０における管理情報退避領域８３に格納する。なお、ここで取得される情報としては最新のＴＤＭＳ全ての情報を取得せずとも良く、最低限ＴＤＤＳ３０に含まれる各管理情報要素の記録位置に関する情報（つまりＳＲＲＩ先頭位置４５並びにＴＤＦＬ先頭位置４６）のうち、実際にＴＤＭＡ１７に記録された管理情報要素に関する位置情報が取得できれば良い。そのため例えば、最新のＴＤＤＳ３０のみ取得して、メモリ２２０の管理情報退避領域８３のデータを書き換えても良い。またこの際、取得した位置情報をもとに、メモリ２２０に備えられる管理情報要求記録位置８１も更新する。また関連する光ディスク１の最新のＴＤＭＳについては、ＴＤＤＳ３０に含まれる各管理情報要素の記録位置に関する情報（つまりＳＲＲＩ先頭位置４５並びにＴＤＦＬ先頭位置４６）を取得し、メモリ２２０に備えられる管理情報要求記録位置８１を更新する。
【０１８０】
ここで、このステップ１３１３の目的は、ステップ１３１１及びステップ１３１２にて記載した通り、実際に管理情報要素が光ディスク１に記録された位置については、光ディスクドライブ２３０において管理しているためである。
【０１８１】
ステップ１３１４：以上のステップ１３１０からステップ１３１３を、ディスクアレイ（ＲＡＩＤ）を構成する光ディスク１のうち、ステップ１３０５において管理情報を新たに更新記録する必要があると判断された光ディスク１（または、光ディスク１に記録再生を行う光ディスクドライブ２３０）に対して実施する。例えば、光ディスク（Ａ）から光ディスク（Ｄ）の４枚全ての光ディスク１において管理情報の更新記録が必要な場合には、処理を４回繰り返す。
【０１８２】
以上の手順で、光ディスクアレイシステム２００がディスクアレイ（ＲＡＩＤ）を構成する光ディスク１に対しての新たな管理情報の更新記録が完了する。
【０１８３】
なお、ステップ１３１０において、ＴＤＤＳ３０の記録装置関連情報４７に、本来その管理情報が記録されるべき記録装置に関する情報を付与することで、ＴＤＭＡ１７に記録された管理情報がどの光ディスク１に関する管理情報かを判断出来るようにする例を示したが、どの光ディスク１に関する管理情報かを判断出来るようにする方法としては、これに限るものでは無い。例えば管理情報を２箇所に記録する２重記録の場合には、本発明の実施の形態１に示したのと同様の考え方で、ＴＤＭＳに含まれるＴＤＤＳ３０のＤＤＳ更新回数４９の値が奇数か偶数かで、当該光ディスク１に関する第１管理情報か、関連する光ディスク１に関する第２管理情報かを識別しても良い。或いは、図１４に示すように、ＴＤＤＳ３０中に関連する光ディスク１の管理情報要素に関する位置情報である関連ＳＲＲＩ先頭位置９０、関連ＴＤＦＬ先頭位置９１という形で備え、関連する光ディスク１の最新の管理情報要素と、当該光ディスク１の最新の管理情報要素とを組み合わせた形でＴＤＭＳを形成してＴＤＭＡ１７に記録するといった方法によっても、同様の効果を得ることが可能である。
【０１８４】
４）再生（最新の管理情報読み出し）手順
図１５は、光ディスクアレイシステム２００がディスクアレイ（ＲＡＩＤ）を構成する光ディスク１から最新の管理情報の取得を行う場合の手順を示すフロー図である。本処理は例えば、光ディスク１が光ディスクドライブ２３０に装着された後の最初の起動時などのタイミングで実施される。
【０１８５】
なお、ディスクアレイ（ＲＡＩＤ）を構成する各光ディスク１からの最新の管理情報読み出し状態を管理するため、図９に示すように、メモリ２２０に管理情報取得フラグ８０を設けておき、初期状態としてそれぞれＦＡＬＳＥ（未取得）状態に設定しておく。
【０１８６】
ステップ１５０１：以下のステップ１５０２からステップ１５０４を、システムを構成する全ての光ディスクドライブ２３０に装着された光ディスク１に対して実施する。例えば図８のようなシステム構成の場合には、４回繰り返す。
【０１８７】
ステップ１５０２：光ディスクドライブ２３０に装着された光ディスク１から、その光ディスク１自信の最新の管理情報を探索する。具体的には、コントローラ２１０は光ディスクドライブ２３０に対して、装着された光ディスク１から最新の管理情報を取得するように要求し、光ディスクドライブ２３０は装着された光ディスク１のＴＤＭＡ１７から最新の管理情報を探索し、その処理結果がコントローラ２１０に対して報告される。ここで、光ディスクドライブ２３０が実施する最新の管理情報探索処理は、上述の図７に示した光ディスク記録再生装置１００が実施する処理と同じであるため、ここでの詳細な説明は省略する。
【０１８８】
ステップ１５０３：最新の管理情報探索処理に成功したか否かを判断する。具体的にはコントローラ２１０は、ステップ１５０２において光ディスクドライブ２３０から通知される処理結果報告に基づいて、光ディスク１の最新の管理情報探索に成功したか否かを判断する。続けて、探索に成功したと判断した場合はステップ１５０４を実施する。探索に失敗したと判断した場合には、ステップ１５０４をスキップしてステップ１５０５へ進む。
【０１８９】
ステップ１５０４：最新の管理情報を取得する。具体的にはコントローラ２１０における管理情報ＩＯ制御部２１４は、ステップ１５０２で管理情報探索を要求した光ディスクドライブ２３０に対して、装着された光ディスク１の最新の管理情報を取得し、転送するよう要求し、転送されたデータを最新の管理情報としてメモリ２２０に備える管理情報退避領域８３に格納する。そして、メモリ２２０に備える該当する光ディスク１の管理情報取得フラグ８０をＴＲＵＥ（取得済み）状態に設定する。
【０１９０】
ステップ１５０５：以上のステップ１５０２からステップ１５０４を、システムを構成する全ての光ディスクドライブ２３０に装着された光ディスク１に対して実施する。例えば図８のようなシステム構成の場合には、４回繰り返す。
【０１９１】
ステップ１５０６：未取得の管理情報が存在するか否かを判断する。具体的にはコントローラ２１０は、ディスクアレイ（ＲＡＩＤ）を構成する全ての光ディスク１からステップ１５０１からステップ１５０５において最新の管理情報を取得できたか否かを判断する。より具体的には、例えばメモリ２２０に備える管理情報取得フラグ８０が全てＴＲＵＥ（取得済み）ならば未取得の管理情報は存在しないと判断し、そうで無い場合には未取得の管理情報が存在すると判断する。続けて、未取得の管理情報が存在する場合にはステップ１５０７を実施する。全ての管理情報が取得済みの場合には、ステップ１５１１へ進む。
【０１９２】
ステップ１５０７：未取得の管理情報が記録されている関連する光ディスク１（光ディスクドライブ２３０）を判断する。具体的には、コントローラ２１０における管理情報取得制御部２１５は、最新の管理情報の取得に失敗した光ディスク１の管理情報が、関連する光ディスク１の管理情報として記録されている光ディスク１を、記録時の所定の規則をもとに判断する。より詳細には、例えば図１０の例において言えば、管理情報取得に失敗した光ディスク１が光ディスク（Ａ）の場合は、関連する光ディスク１として光ディスク（Ｂ）と判断する。
【０１９３】
ステップ１５０８：最新の管理情報取得に失敗した光ディスク１の管理情報を、関連する光ディスク１から最新の管理情報を探索する。具体的にはコントローラ２１０における管理情報取得制御部２１５は、ステップ１５０７において判断した光ディスク１のＴＤＭＡ１７に多重記録されている、最新の管理情報取得に失敗した光ディスク１の管理情報を探索するよう、該当する光ディスクドライブ２３０に要求する。そして、光ディスクドライブ２３０は装着されている光ディスク１のＴＤＭＡ１７から関連する光ディスク１の最新の管理情報を探索する。そして、その処理結果がコントローラ２１０に対して報告される。より詳細には、例えば、ＴＤＭＡ１７の記録済み終端ブロック（ここには当該光ディスク１の最新のＴＤＭＳが配置される）よりも（記録済み領域側に向かって）手前のブロックを１ブロックずつ辿って再生しながら、再生したブロック３の所定位置（例えば最終セクタ）にＴＤＤＳ３０が配置されていて、かつそこに含まれる記録装置関連情報４７が、関連する光ディスク１の管理情報を本来記録する光ディスクドライブ２３０に関する情報であるものを探索し、探索できた場合はその情報を取得して探索成功とする。この時光ディスクドライブ２３０は合わせて、探索したＴＤＤＳ３０、及びそのＴＤＤＳ３０に含まれるＳＲＲＩ位置情報４５並びにＴＤＦＬ位置情報４６が指す位置に存在するＳＲＲＩ３２、並びにＴＤＦＬ３１を読み出しておく。ここで、光ディスクドライブ２３０が実施する関連する光ディスク１の管理情報探索処理は、上述の図７に示した光ディスク記録再生装置１００が実施する処理と、ステップ７０１で探索するブロックが記録済み終端ブロックでは無く、上述した関連する光ディスク１のＴＤＤＳ３０を含むブロックとなることを除いて同じであるため、ここでの詳細な説明は省略する。
【０１９４】
ステップ１５０９：探索に成功したか否かを判断する。具体的には、コントローラ２１０は、ステップ１５０８での光ディスクドライブ２３０による関連する光ディスク１の最新の管理情報の探索が成功したか否かを判断する。続いて、探索に成功した場合にはステップ１５１０を実施し、探索に失敗した場合にはステップ１５１２へ進む。
【０１９５】
ステップ１５１０：関連する光ディスク１から探索した管理情報を取得する。具体的にはコントローラ２１０における管理情報ＩＯ制御部２１４は、光ディスクドライブ２３０がステップ１５０８で読み出したＴＤＤＳ３０、及びそのＴＤＤＳ３０に含まれるＳＲＲＩ位置情報４５並びにＴＤＦＬ位置情報４６が指す位置に存在するＳＲＲＩ３２、並びにＴＤＦＬ３１を、関連する光ディスク１の最新の管理情報、つまりこの管理情報を第１管理情報として記録するはずだった光ディスク１の最新の管理情報として取得する。そして取得した管理情報を、メモリ２２０における管理情報退避領域８３に格納する。
【０１９６】
ステップ１５１１：ディスクアレイ（ＲＡＩＤ）を構成する全ての光ディスク１から、最新の管理情報の取得に成功したとして、読み出し処理を終了する。このステップが実施される時点で、メモリ２２０に備えた管理情報取得フラグ８０は全ての光ディスク１に対してＴＲＵＥ（取得済み）になっている。
【０１９７】
ステップ１５１２：ディスクアレイ（ＲＡＩＤ）を構成する光ディスク１のうちの少なくとも１枚以上で、最新の管理情報が正しく取得できなかったとして、ディスクアレイ（ＲＡＩＤ）システムとして記録／再生禁止状態、あるいは制限付きでの再生のみ可能状態として、読み出し処理を終了する。このステップが実施される時点で、メモリ２２０に備えた管理情報取得フラグ８０の少なくとも１つ以上がＦＡＬＳＥ（未取得）になっている。
【０１９８】
以上で、図１５に示す最新の管理情報の読み出し処理を完了する。
【０１９９】
この処理の動きについて、図１６の場合を例に簡単に説明する。例えば図１６に示すように、光ディスク（Ａ）のＴＤＭＡ１７が汚れや傷などの欠陥に侵され、正しく再生出来ない状態であるとする。
【０２００】
この時、まず上述のステップ１５０５までにおいて、図１６（１）に示すように、ディスクアレイ（ＲＡＩＤ）を構成する光ディスク１のうち、光ディスク（Ｂ）、光ディスク（Ｃ）、光ディスク（Ｄ）の各ＴＤＭＡ１７の記録済み終端位置に配置される当該光ディスク１の最新の管理情報（Ｂ（１）、Ｃ（１）、Ｄ（１））が取得される。しかし、光ディスク（Ａ）の最新の管理情報であるＡ（１）は取得に失敗する。
【０２０１】
そこで続けて、ステップ１５０７によって、光ディスク（Ａ）を関連する光ディスク１として管理情報記録する光ディスク（Ｂ）（光ディスクドライブ２３０（Ｎｏ．２））が選択され、更にステップ１５０８によって光ディスク（Ｂ）のＴＤＭＡ１７に記録された光ディスク（Ａ）の最新の管理情報であるＡ（１）が探索される。そしてステップ１５１０によって光ディスク（Ａ）の最新の管理情報であるＡ（１）が取得される。これにより、ディスクアレイ（ＲＡＩＤ）を構成する全ての光ディスク１における最新の管理情報が取得され、記録再生可能状態としてディスクアレイ（ＲＡＩＤ）が使用可能状態になる。このように、図１５で示した管理情報の読み出し処理の特徴は、ディスクアレイ（ＲＡＩＤ）を構成するある光ディスク１の管理情報取得を取得するために、当該光ディスク１を備えた光ディスクドライブ２３０だけでなく、必要に応じて別の光ディスク１を備えた光ディスクドライブ２３０に対しても読み出しを実施するところである。
【０２０２】
なお、ステップ１５０７からステップ１５１０の処理は、図１５においては１回のみ実施される処理として記載をしたが、これは、図１０に示すような管理情報の２重記録の場合を例に、ディスクアレイ（ＲＡＩＤ）を構成する４枚の光ディスク１のうちの１枚の管理情報取得の失敗までは対応出来る場合を想定して記載したためである。もし多重記録回数を増やした場合で、管理情報取得の失敗に対応可能な光ディスクの枚数が増える場合には、このステップ１５０７からステップ１５１０はその分だけ繰り返して実施されることになる。
【０２０３】
なお、図１５のフローにおいては、ステップ１５０１からステップ１５０５において、ディスクアレイ（ＲＡＩＤ）を構成する全ての光ディスク１から最新の管理情報を取得できた場合には、ステップ１５１１へ進んで処理を完了するように記載をしたが、この場合であっても、全ての光ディスク１に対して、ステップ１５０７からステップ１５１１に示す関連する光ディスク１の管理情報（つまり第２管理情報）の取得処理を実施しても良い。より詳細には、「３）記録手順」において、図１３のステップ１３１０に記載したように、更新不要な管理情報要素に対して、新たに記録するＴＤＭＳに含まれるＴＤＤＳ３０に備える位置情報を正しく設定するためには、メモリ２２０に備える管理情報要素記録位置８１が、システム稼動直後（つまり光ディスク１の起動直後）の場合にも正しく設定されている必要がある。そこで、この管理情報要素記録位置８１を正しい状態に更新するために、起動時、つまり最新の管理情報の読み出し時に、全ての光ディスク１に記録されている最新の第１管理情報だけでなく、予備的に記録された最新の第２管理情報（のうちの、少なくともＴＤＤＳ３０に含まれるＳＲＲＩ先頭位置４５、及びＴＤＦＬ先頭位置４６）を読み出し、その結果に基づいて管理情報要素記録位置８１を更新するように制御しても良い。
【０２０４】
或いは、例えばシステク稼動直後（つまり光ディスク１の起動直後）の最初のＴＤＭＳ記録時には、管理情報要素の更新の有無に関わらず、必ず全ての管理情報要素を含んだ第１管理情報、並びに第２管理情報を記録するように制御しても良い。この方法を用いれば、上述した全ての光ディスク１からの第２管理情報（に含まれるＴＤＤＳ３０）の取得は行わなくても良い。
【０２０５】
なお、本発明の実施の形態２の「２）記録方法」の中で、ディスクアレイ（ＲＡＩＤ）を構成する複数の光ディスク１のＴＤＭＡ１７に対して、所定の規則に則って管理情報の記録を行い、光ディスク１の使用中に規則の内容を一部変更しても良い。具体的には例えば、図１１で説明したように、更新が必要となった管理情報に相当する光ディスク１のＴＤＭＡ１７に対してのみ新たな管理情報の更新記録を行う例を示した。図１１の場合は光ディスク（Ａ）の管理情報のみが更新された場合を例に示したが、同様の状態から光ディスク（Ａ）および光ディスク（Ｃ）の管理情報が更新された場合を考えてみる。
【０２０６】
図１７は、光ディスク（Ａ）および光ディスク（Ｃ）の管理情報が更新された場合の説明図である。この場合、更新すべき管理情報はＡ（２）とＣ（２）の２つだけだが、図１１に示す第２管理情報の記録方法を用いる場合は、図１７（２）に示すように、結局全ての光ディスク１のＴＤＭＡ１７に対して管理情報の更新記録を行う必要が出てくる。そこでこのような場合、今後も同様のセットでの管理情報更新が行われる可能性が高いかもしれないと考え、図１７（３）に示すように、第２管理情報の更新規則を変更しても良い。具体的には、それまでディスクアレイ（ＲＡＩＤ）構成上隣接する光ディスク１を関連する光ディスク１として、その光ディスク１のＴＤＭＡ１７の第２管理情報として、最新の管理情報を予備的に多重記録していたが、その関係を組み替えても良い。より詳細には、図１７（３）に示すように、従来の襷がけの管理情報記録方法から、更新が必要となった２つの光ディスク１をペアにして、２台ずつでセットを組むような形で多重記録しても良い。或いは、一部の光ディスク１の管理情報更新が必要な場合は、各光ディスク１におけるＴＤＭＡ１７の残り記録可能容量を見て、残り記録可能サイズが多く残っている光ディスク１を、更新する管理情報を第２管理情報として予備的に多重記録する光ディスク１となるように組み替えても良い。なおこのように管理情報の更新規則の変更を行う場合は、ディスクアレイ（ＲＡＩＤ）を組む複数の光ディスク１の全てに対して、新たな形で管理情報の記録を行い直す。
【０２０７】
なお、本発明の実施の形態２では、ディスクアレイ（ＲＡＩＤ）を構成する複数の光ディスク１において、それぞれの光ディスク１に跨るような形でそれぞれの管理情報を多重記録する場合を説明したが、ディスクアレイの場合で無くても同様の効果を得ることが出来る。具体的には、例えば、複数の光ディスク１を備えたマガジンにおいて、そのマガジン内の複数の光ディスク１に跨るように管理情報を多重記録したりしても良い。
【０２０８】
なお、本発明の実施の形態２においては、予備で多重記録する第２管理情報もＴＤＭＡ１７中に実施する例を示したが、多重記録の専用領域をＴＤＭＡ１７とは別に用意しておき、第１管理情報は通常通りにＴＤＭＡ１７へ更新記録しつつ、第２管理情報は多重記録専用領域に更新記録するような方法を用いても、上記で示したものと同様の効果を得ることが出来ることは言うまでも無い。
【０２０９】
なお、本発明の実施の形態２において図９を用いて説明したメモリ２２０における内部情報の種類や内容などの管理方法についてはあくまで一例であり、これに限定されるものでは無い。
【０２１０】
なお、本発明の実施の形態２においては、ディスクアレイ（ＲＡＩＤ）としてＲＡＩＤ５を構成する場合を例に示して説明を行ったが、構成されるＲＡＩＤレベルはＲＡＩＤ５に限ったものでは無い。例えばパリティドライブを備えないＲＡＩＤ０を構成する場合や、パリティドライブが固定のＲＡＩＤ４を構成する場合などにおいても、上記で説明したＲＡＩＤ５を構成する場合と同様の効果を得ることが出来ることは言うまでもない。
【０２１１】
以上のように、本実施の形態２における情報記録媒体、情報記録方法、情報記録装置、情報再生方法、および、情報再生装置は、主に、下記の構成を有している。
【０２１２】
すなわち、本実施の形態２における情報記録媒体は、エラー訂正の単位であるブロック単位に記録再生を行う追記型情報記録媒体であって、追記型情報記録媒体は、複数が関連付けて使用される。追記型情報記録媒体は、ユーザデータを記録するデータ領域と、情報記録媒体に関する管理情報を過渡的に記録するための一時管理情報領域を備えている。
【０２１３】
このとき、追記型情報記録媒体における一時管理情報領域には、当該追記型情報記録媒体における前記管理情報である第１管理情報と、関連付けて使用される少なくとも１つの他の追記型情報記録媒体における管理情報である第２管理情報とが組み合わされ、かつ第１管理情報が一時管理情報領域における記録済み領域の終端位置に配置されるように記録される。
【０２１４】
また、本実施の形態２における情報記録媒体においては、管理情報は、データ領域への記録状態を管理するための記録管理情報を含んでいても良い。また、管理情報は、追記型情報記録媒体におけるレイアウト情報や記録管理情報に関する位置情報を備えるディスク定義構造を含んでいても良い。また、ディスク定義構造は、第１管理情報か第２管理情報かを識別可能な情報を含んでいても良い。
【０２１５】
また、本実施の形態２における情報記録方法は、追記型情報記録媒体における一時管理情報領域に、当該追記型情報記録媒体における管理情報である第１管理情報と、関連付けて使用される少なくとも１つの他の追記型情報記録媒体における管理情報である第２管理情報とを組み合わせて、第１管理情報が一時管理情報領域における記録済み領域の終端位置に配置するように記録する。
【０２１６】
また、本実施の形態２における情報記録装置は、追記型情報記録媒体における一時管理情報領域に、当該追記型情報記録媒体における管理情報である第１管理情報と、関連付けて使用される少なくとも１つの他の追記型情報記録媒体における管理情報である第２管理情報とを組み合わせて、第１管理情報が一時管理情報領域における記録済み領域の終端位置に配置するように記録する管理情報記録制御部を備える。
【０２１７】
また、本実施の形態２における情報記録方法、もしくは、情報記録装置においては、ディスク定義構造は、第１管理情報か第２管理情報かを識別可能な情報を含む形で記録されても良い。
【０２１８】
また、本実施の形態２における情報再生方法は、当該追記型情報記録媒体における管理情報である第１管理情報に加え、関連付けて使用される少なくとも１つの他の追記型情報記録媒体における管理情報である第２管理情報が組み合わされ、かつ第１管理情報が一時管理情報領域における記録済み領域の終端位置に配置されるように記録されている当該追記型情報記録媒体に対して、最新の管理情報の取得を行う場合に、ある追記型情報記録媒体における一時管理情報領域から最新の第１管理情報を取得するステップ（ａ）と、少なくとも、ステップ（ａ）で第１管理情報の取得に失敗した場合に、当該追記型情報記録媒体の管理情報が第２管理情報として記録されている他の追記型記録媒体の一時管理情報領域から、最新の第２管理情報を取得するステップ（ｂ）を備える。
【０２１９】
また、本実施の形態２における情報再生装置は、最新の管理情報の取得を行う管理情報取得制御部を備える。このとき、当該追記型情報記録媒体における管理情報である第１管理情報に加え、関連付けて使用される少なくとも１つの他の追記型情報記録媒体における管理情報である第２管理情報が組み合わされ、かつ第１管理情報が一時管理情報領域における記録済み領域の終端位置に配置されるように記録されている当該追記型情報記録媒体に対して、管理情報取得制御部は、ある追記型情報記録媒体における一時管理情報領域から最新の第１管理情報を取得するとともに、少なくとも第１管理情報の取得に失敗した場合に、当該追記型情報記録媒体の管理情報が第２管理情報として記録されている他の追記型記録媒体の一時管理情報領域から、最新の第２管理情報を取得する。
【０２２０】
また、本実施の形態２における情報再生方法、もしくは、情報再生装置においては、ディスク定義構造に記録された、第１管理情報か第２管理情報かを識別可能な情報を基に、少なくとも第２管理情報を取得しても良い。
【０２２１】
なお、追記型情報記録媒体は複数が関連付けて使用されるとは、例えば、追記型情報記録媒体がディスクアレイ（ＲＡＩＤ）を構成することであっても良い。この場合、当該追記型情報記録媒体とは、ディスクアレイ（ＲＡＩＤ）を構成する１つの追記型情報記録媒体であり、当該追記型情報記録媒体と関連付けて使用される他の追記型情報記録媒体とは、ディスクアレイ（ＲＡＩＤ）を構成する他の追記型情報記録媒体である。
【０２２２】
以上の情報記録媒体、情報記録方法、および、情報記録装置であれば、同一の光ディスクにおいて多重記録しておく場合と比べて、より信頼性を高めた冗長記録が可能になる。言い換えると、最新の管理情報取得失敗により光ディスクが記録不可状態に陥るリスクを低減することが可能になる。また、ユーザデータ領域だけでなく、管理情報領域に対しても高い冗長性・信頼性を持ったアレイシステムを提供することが可能になる。
【０２２３】
また、以上の情報再生方法、および、情報再生装置であれば、管理情報取得失敗のリスク（再生時のデータ化け発生や、最悪の場合には再生不可状態に陥るリスク）を減らすことが出来る。
【０２２４】
このように、本実施の形態２の構成によれば、追記型情報記録媒体の記録再生のために必要な最新の管理情報を、より信頼性を高めた形で冗長記録できる。言い換えれば、最新の管理情報の取得に失敗したような場合でも、多重記録された別の管理情報を取得可能となるため、継続して当該追記型情報記録媒体に対して記録再生を行うことが出来る。これにより、使用中の情報記録媒体が後発的な欠陥（指紋や埃、傷など）に侵された場合でも、その情報記録媒体を確実に、かつ即座に記録再生できる状態に出来る可能性を高めることが出来る。
【０２２５】
なお、本発明の実施の形態１や実施の形態２においては、追記型の光ディスクを例にとって説明を行ったが、この方法は光ディスク以外のストレージに対してでも適用可能である。より詳細には、管理情報に基づいて記録再生が行われ、かつ情報が追記される、又は追記的に記録されるストレージに対して適用可能であり、例えば情報が追記記録（または追記的に記録）されるＨＤＤなどに対してでも適用しても、同様の効果を得ることが出来る。
【０２２６】
以上、本発明の特定の実施の形態について説明されてきたが、当業者にとっては他の多くの変形例、修正、他の利用が本発明に含まれることは明らかである。それゆえ、本発明は、ここでの特定の実施の形態に限定されず、請求項によってのみ限定され得る。
【産業上の利用可能性】
【０２２７】
本発明によれば、記録再生に必要な管理情報を多重記録することで、管理情報の冗長性を高めることができ、最新の管理情報が正しく再生できる可能性を高めることが出来る。本発明は、例えば、光ディスクを用いたファイルサーバやデータアーカイブサーバなどのエンタープライズ用ストレージ装置などに適用できる。
【符号の説明】
【０２２８】
１    光ディスク
２    トラック
３    ブロック
４    リードイン領域
５    データ領域
６    リードアウト領域
１０，１１，１２，１３    ＤＭＡ
１４    ユーザデータ領域
１５，１６    スペア領域（ＩＳＡ，ＯＳＡ）
２０    ＤＤＳ
２１    ＤＦＬ
３０    ＴＤＤＳ
３１    ＴＤＦＬ
３２    ＳＲＲＩ
４０    ＤＤＳヘッダ
４１    論理セクタ番号０位置
４２    最終論理セクタ番号
４３    ＩＳＡサイズ
４４    ＯＳＡサイズ
４５    ＳＲＲＩ先頭位置
４６    ＴＤＦＬ先頭位置
４７    記録装置関連情報
４８    ＤＤＳ識別子
４９    ＤＤＳ更新回数
５０    ＤＦＬヘッダ
５１    ＤＦＬエントリ
５２    ＤＦＬターミネータ
５３    ＤＦＬ識別子
５４    第１ＤＦＬ更新回数
５５    交替元位置
５６    交替先位置
５７    ＤＦＬターミネータ識別子
５８    第２ＤＦＬ更新回数
５９    ＤＦＬエントリ数
６０    ＳＲＲＩヘッダ
６１    ＳＲＲエントリ
６２    ＳＲＲＩターミネータ
６３    ＳＲＲＩ識別子
６４    第１ＳＲＲＩ更新回数
６５    ＳＲＲ先頭位置
６６    ＳＲＲ最終記録位置
６７    ＳＲＲＩターミネータ識別子
６８    第２ＳＲＲＩ更新回数
６９    ＳＲＲエントリ数
７０    ＴＤＭＡ記録開始位置
７１    ＴＤＤＳ取得フラグ
７２    ＳＲＲＩ取得フラグ
７３    ＴＤＦＬ取得フラグ
７４    最新更新回数
７５    ＳＲＲＩ記録位置
７６    ＴＤＦＬ記録位置
８０    管理情報取得フラグ
８１    管理情報要素記録位置
８２    管理情報要素更新要求フラグ
８３    管理情報退避領域
９０    関連ＳＲＲＩ先頭位置
９１    関連ＴＤＦＬ先頭位置
１００    光ディスク記録再生装置
１１０    命令処理部
１２０    光ピックアップ
１３０    レーザ制御部
１４０    メカ制御部
１５０    メモリ
１６０    管理情報格納メモリ
１７０    ドライブ制御部
１７１    記録部
１７２    再生部
１７３    アクセス位置管理部
１７４    管理情報更新部
１７５    管理情報生成部
１８０    ＩＯバス
２００    光ディスクアレイシステム
２１０    コントローラ
２１１    ＲＡＩＤ制御部
２１２    管理情報記録制御部
２１３    管理情報更新部
２１４    管理情報ＩＯ制御部
２１５    管理情報取得制御部
２２０    メモリ
２３０    光ディスクドライブ
【図１】
2013054792.tif 000003
【図２】
2013054792.tif 000004
【図３】
2013054792.tif 000005
【図４】
2013054792.tif 000006
【図５】
2013054792.tif 000007
【図６】
2013054792.tif 000008
【図７】
2013054792.tif 000009
【図８】
2013054792.tif 000010
【図９】
2013054792.tif 000011
【図１０】
2013054792.tif 000012
【図１１】
2013054792.tif 000013
【図１２】
2013054792.tif 000014
【図１３】
2013054792.tif 000015
【図１４】
2013054792.tif 000016
【図１５】
2013054792.tif 000017
【図１６】
2013054792.tif 000018
【図１７】
2013054792.tif 000019
【図１８】
2013054792.tif 000020
【図１９】
2013054792.tif 000021
【図２０】
2013054792.tif 000022
【図２１】
2013054792.tif 000023
【図２２】
2013054792.tif 000024